(57)【要約】【課題】乾燥時間の短縮と騒音の低減及び省エネルギーとを低コストで両立させる。【解決手段】衣類乾燥機の送風ダクトは、ドラムの空気導入口の形状に沿うように一体形成されたエアガイド７３を有し、エアガイド７３は、空気導入口から離れる方向でかつ乾燥用空気の上流側方向に向かって傾斜する案内部７３ａを有し、ファン装置から導入された乾燥用空気が案内部７３ａに沿って空気導入口に誘導されるように構成されている。【選択図】図１６
2019198676.tif 000002
【特許請求の範囲】
【請求項１】
循環型の乾燥機であって、
乾燥用空気が導入される空気導入口を有し、衣類を収容するドラムと、
下流端側に前記ドラムの空気導入口に気密状に接続される通風口を有し、前記乾燥用空気の通風路となる送風ダクトと、
前記送風ダクトの上流端側に気密状に接続されて前記乾燥用空気を前記送風ダクト内に送り出すファン装置と、
前記ファン装置の直上流側に設けられ、前記ドラムから排出された前記乾燥用空気を乾燥かつ加熱するように熱交換する熱交換器とを備え、
前記送風ダクトは、前記通風口の下流側の縁部に沿う形状に一体形成されたエアガイドを有し、
前記エアガイドは、前記通風口から離れる方向に向かって、前記上流側方向に向かうように傾斜する案内部を有し、前記ファン装置から送り込まれた前記乾燥用空気が前記案内部に沿って前記空気導入口に誘導されるように構成されている、ことを特徴とする乾燥機。
【請求項２】
請求項１に記載の乾燥機において、
前記ファン装置は、前記送風ダクトの上流側端部と気密状に接続される吹出口を有するファンケーシングを備え、
前記エアガイドは、前記案内部から前記ファンケーシングの吹出口まで連続して延び、かつ前記ファン装置から前記送風ダクトに導入された前記乾燥用空気が前記空気導入口側に向かうように誘導する誘導部を備えている、ことを特徴とする乾燥機。
【請求項３】
請求項２に記載の乾燥機において、
前記エアガイドの誘導部の前記ファンケーシング側の端部及び前記ファンケーシングの吹出口側の端部は、相互の前記通風路側の面が面一になるように構成されている、ことを特徴とする乾燥機。
【請求項４】
請求項２又は請求項３に記載の乾燥機において、
前記送風ダクトの外壁と前記エアガイドとの間に空間が設けられている、ことを特徴とする乾燥機。
【請求項５】
請求項２から請求項４のうちのいずれか１つに記載の乾燥機において、
前記送風ダクトは、該送風ダクト内を気密状態するシール部を有し、
前記シール部は、前記エアガイドよりも外側に設けられている、ことを特徴とする乾燥機。
【請求項６】
請求項１から請求項５のうちのいずれか１つに記載の乾燥機において、
前記エアガイドの案内部は、前記通風路から離れる方向に凹んだ円弧状の曲面である、ことを特徴とする乾燥機。
【発明の詳細な説明】
【技術分野】
【０００１】
本発明は、衣類等の乾燥に用いられる乾燥機に関する。
【背景技術】
【０００２】
従来より、熱交換器によって除湿及び加熱された空気を循環させる循環型の衣類乾燥機が知られている。このような循環式の衣類乾燥機では、乾燥用空気を冷却して除湿する冷却装置と、該冷却装置を通過した空気を加熱する加熱装置と、該乾燥用空気を循環通風路内で循環させるファン装置とが、いずれも循環通風路内に配設されるようになっている。
【０００３】
前記衣類乾燥機において、熱交換器の直下流側にファン装置を設置した場合、ファン装置とドラムの空気導入口との間に設けられた送風ダクトの厚さ方向に対する十分なスペースを確保することが困難であるため、理想的な風路を形成することが難しく、ドラムの空気導入口等での通風抵抗が大きくなり、圧力損失が生じて乾燥用空気の風量が低下するという問題がある。また、ファン装置の吹出口側での乾燥用空気は高圧となるため、循環通風路内での騒音や圧力損失による風量低下の問題がある。そこで、十分な風量を確保するために、ファンの回転数を高くしたり、ファンの直径を大きくしたりすることが考えられるが、騒音や省エネルギーの面で問題が生じる。
【０００４】
前記熱交換器の直下流側にファン装置を設置する場合における乾燥用空気の流れを改善する方法として、特許文献１には、ファン装置（特許文献１では乾燥ファン）の吹出口から送出される乾燥用空気の流れを改善するためのエアガイドの取付例が示されている。また、特許文献２には、衣類乾燥機において、ヒータの下流側に偏向板を設け、該偏向板によって循環ダクトからドラム内に導入される乾燥用空気を下方に偏向させる技術が示されている。
【先行技術文献】
【特許文献】
【０００５】
【特許文献１】特開２００５−１７７４７５号公報
【特許文献２】特開平１０−３２８４９５号公報
【発明の概要】
【発明が解決しようとする課題】
【０００６】
また、特許文献１，２に示されたエアガイドや偏向板は、ファン装置とヒータとの間における乾燥用空気の流れや、ドラムの空気導入口を通過する空気の流れを改善する技術であるが、ファン装置から送風ダクトを介してドラムに導入される乾燥用空気の流れのうちの局所的な部分での改善を行っているにすぎない。また、エアガイド及び偏向板は、それぞれ独立した部品であり、部品コストの増加及び製造コストの増加が発生する。
【０００７】
前記特許文献１及び２に係る問題に鑑みて、乾燥機において、ファン装置からドラムの空気導入口までの間の送風経路における圧力損失を低減させることにより、ファン装置の回転数を抑えつつ乾燥時間を短縮可能にする、すなわち、乾燥時間の短縮と騒音の低減及び省エネルギーとを低コストで両立させる、という要求がある。
【０００８】
本発明は、かかる点に鑑みてなされたものであり、その目的は、乾燥時間の短縮と騒音の低減及び省エネルギーとを低コストで両立させることによって、乾燥機の性能を向上させることである。
【課題を解決するための手段】
【０００９】
前記目的に係る要求を満足すべく、本願発明者らは、ドラムの空気導入口に気密状に接続された送風ダクトに対して、通風口の下流側の縁部に沿う形状に一体形成されたエアガイドを設けていて、該エアガイドが通風口から離れる方向に向かって、上流側方向に向かうように傾斜する案内部を有するように構成することで、ファン装置から送風ダクトに導入された乾燥用空気が案内部に沿って空気導入口に誘導されるようにした。
【００１０】
すなわち、第１の発明は、循環型の乾燥機において、乾燥用空気が導入される空気導入口を有し、衣類を収容するドラムと、下流端側に前記ドラムの空気導入口に気密状に接続される通風口を有し、前記乾燥用空気の通風路となる送風ダクトと、前記送風ダクトの上流端側に気密状に接続されて前記乾燥用空気を前記送風ダクト内に送り出すファン装置と、前記ファン装置の直上流側に設けられ、前記ドラムから排出された前記乾燥用空気を乾燥かつ加熱するように熱交換する熱交換器とを備え、前記送風ダクトは、前記通風口の下流側の縁部に沿う形状に一体形成されたエアガイドを有し、前記エアガイドは、前記通風口から離れる方向に向かって、前記上流側方向に向かうように傾斜する案内部を有し、前記ファン装置から送り込まれた前記乾燥用空気が前記案内部に沿って前記空気導入口に誘導されるように構成されている、ことを特徴とするものである。
【００１１】
この発明に係る乾燥機は、乾燥機の送風ダクトが通風口の下流側の縁部に沿う形状に一体形成されたエアガイドを有し、ファン装置から送風ダクトに送り込まれた乾燥用空気がエアガイドの案内部に沿って空気導入口に誘導されるように構成されたものである。このような構成とすることにより、ファン装置から送風ダクトに送り込まれた乾燥用空気がエアガイドの案内部に沿って流れて空気導入口に誘導されるため、送風ダクト内で旋回流が発生することを抑制し、効率よくドラム内に乾燥用空気を送り込むことができる。すなわち、ファン装置からドラムの空気導入口までの間の送風経路における圧力損失を低減させることができる。これにより、エアガイドを設けない場合と比較して、同等の循環風量を確保するために必要なファン装置の回転数を減らすことができる。すなわち、同一の乾燥性能で比較した場合に、エアガイドを設けない場合と比較して騒音の低減及び使用エネルギーの削減を実現することができる。また、エアガイドは送風ダクトに一体的に設けられている（例えば、樹脂成形等で一体的に形成されている）ため、従来のエアガイドを有する乾燥機と比較してコストを削減することができる。
【００１２】
第２の発明は、前記第１の発明において、前記ファン装置は、前記送風ダクトの上流側端部と気密状に接続される吹出口を有するファンケーシングを備え、前記エアガイドは、前記案内部から前記ファンケーシングの吹出口まで連続して延び、かつ前記ファン装置から前記送風ダクトに導入された前記乾燥用空気が前記空気導入口側に向かうように誘導する誘導部を備えている、ことを特徴とするものである。
【００１３】
この発明によると、ファン装置から送風ダクトに送り込まれた乾燥用空気は、エアガイドの誘導部によって空気導入口側に向かうように誘導され、その後、エアガイドの案内部に沿って空気導入口に誘導される。これにより、より効果的に送風ダクトに送り込まれた乾燥用空気を空気導入口に誘導することができる。
【００１４】
第３の発明は、前記第２の発明において、前記エアガイドの誘導部の前記ファンケーシング側の端部及び前記ファンケーシングの吹出口側の端部は、相互の前記通風路側の面が面一になるように構成されている、ことを特徴とするものである。
【００１５】
この発明によると、エアガイドの誘導部のファンケーシング側端部及びファンケーシングの吹出口側端部において、相互の通風路側の面が面一になるように構成されており、前記面一の状態でエアガイド及びファンケーシングが接続されている。これにより、この接続部分での空気の流れがスムーズになり、騒音の発生が抑制される。また、この接続部からの空気の漏れも効果的に防止することができる。
【００１６】
第４の発明は、前記第２の発明又は第３の発明において、前記送風ダクトの外壁と前記エアガイドとの間に空間が設けられている、ことを特徴とするものである。
【００１７】
この発明によると、送風ダクト外壁（外周側面）とエアガイドとの間に空間（空気層）を設けることにより、送風ダクト内で発生した騒音が送風ダクトの外壁から漏えいすることを防止することができる。また、乾燥用空気が送風ダクトの外壁と直接接触しないため、乾燥用空気の熱が外壁を介して大気に接触せず、断熱効果も得ることができる。したがって、エアガイドを設けない場合と比較して、騒音の低減及び使用エネルギーの削減を実現することができる。
【００１８】
第５の発明は、前記第２の発明から第４の発明のいずれか１つにおいて、前記送風ダクトは、該送風ダクト内を気密状態するシール部を有し、前記シール部は、前記エアガイドよりも外側に設けられている、ことを特徴とするものである。
【００１９】
この発明によると、送風ダクトのシール部がエアガイドよりも外側に設けられているため、ファン装置から送風ダクトを介してドラムの空気導入口に誘導される乾燥用空気の流れを阻害することがない。また、このような構成にすることにより、シール部に直接乾燥用空気の圧力が加わらないようにすることができるため、シール部のシール性も向上させることができる。
【００２０】
第６の発明は、前記第１の発明から第５の発明のいずれか１つにおいて、前記エアガイドの案内部は、前記通風路から離れる方向に凹んだ円弧状の曲面である、ことを特徴とするものである。
【００２１】
この発明によると、エアガイドの案内部を円弧状の曲面にすることにより、ファン装置から送風ダクトに送り出された乾燥用空気をより効果的にドラムの空気導入口に誘導することができる。
【００２２】
このように、前記第１の発明から第６の発明のいずれか１つに係る乾燥機は、通風口の下流側の縁部に沿う形状に一体形成された案内部を有するエアガイドを設けることにより、ファン装置からドラムの空気導入口までの間の送風経路における圧力損失を低減させることができるため、ファン装置の回転数を抑えることが可能になり、乾燥時間の短縮と騒音の低減及び省エネルギーとを低コストで両立させることができる。よって、乾燥機の性能を向上させることができる。
【発明の効果】
【００２３】
以上説明したように、前記乾燥機は、乾燥時間の短縮と騒音の低減及び省エネルギーとを低コストで両立させることができ、その性能を向上させることができる。
【図面の簡単な説明】
【００２４】
【図１Ａ】図１Ａは、実施形態１の形態Ａに係るヒートポンプ式乾燥機を前側且つ右側から見た斜視図である。
【図１Ｂ】図１Ｂは、図１Ａに示すヒートポンプ式乾燥機において、筐体の右側面を開放した状態を右側且つ後側から見た斜視図である。
【図２】図２は、前記形態Ａに係るヒートポンプ式乾燥機に適用されるヒートポンプ装置を、前側且つ右側から見た斜視図である。
【図３】図３は、前記形態Ａに係るヒートポンプ式乾燥機における通風路と、ヒートポンプ装置とを示す概略図である。
【図４Ａ】図４Ａは、前記形態Ａに係るヒートポンプ式乾燥機の一変形例の要部を示す概略図である。
【図４Ｂ】図４Ｂは、図４Ａに示す変形例とは別の変形例の要部を示す概略図である。
【図５】図５は、実施形態１の形態Ｂに係るヒートポンプ式乾燥機における図４Ａ相当図である。
【図６】図６は、前記形態Ｂに係るヒートポンプ式乾燥機の変形例を示す図４Ｂ相当図である。
【図７】図７は、前記形態Ａに係るヒートポンプ式乾燥機における制御装置の構成を示すブロック図である。
【図８】図８は、図４Ｂに示す変形例に係る制御装置の構成を示すブロック図である。
【図９Ａ】図９Ａは、実施形態１の形態Ｃに係るヒートポンプ式乾燥機において、運転開始後の経過時間に対する冷媒温度の振る舞いを示す概略図である。
【図９Ｂ】図９Ｂは、図９Ａにおいて、囲み部Ｐを拡大して示す概略図である。
【図１０】図１０は、実施形態２に係る衣類乾燥機を斜め後方上側から見た斜視図である。
【図１１】図１１は、実施形態２に係る衣類乾燥機の概略構成を示す図である。
【図１２】図１２は、実施形態２に係る送風ダクト内の空気の流れを説明するための概念図である。
【図１３】図１３は、送風ダクトと循環用吸気口との接続部分を示す破断斜視図である。
【図１４】図１４は、送風ダクトの外カバーを示す斜視図である。
【図１５Ａ】図１５Ａは、図１４のＡ−Ａ線断面図である。
【図１５Ｂ】図１５Ｂは、図１４のＢ−Ｂ線断面図である。
【図１６】送風ダクトの外カバーにファンケーシングを取り付けた状態を示す斜視図である。
【図１７】送風ダクトの外カバーにファンケーシングを取り付けた状態を示す側面図である。
【図１８】図１７のＣ−Ｃ線断面図である。
【図１９】図１９は、本発明の実施形態３の形態Ａに係る乾燥機の天板を外した状態で斜め前側から見た斜視図である。
【図２０】図２０は、制御回路ユニットを取り外した状態の図１９相当図である。
【図２１】図２１は、図１９のＡ−Ａ線における概略断面図である。
【図２２】図２２は、図１９のＢ−Ｂ線における概略断面図である。
【図２３】図２３は、制御回路ユニット周りを示す図１９の拡大図である。
【図２４】図２４は、乾燥機上部を示す図１９のＥ−Ｅ線に対応する断面図である。
【図２５】図２５は、天板を外した状態で補強部材周りを示す図２４に対応する拡大端面図である。
【図２６】図２６は、支持部材及びカバー部材の概略斜視図である。
【図２７】図２７は、図２２のＦ部に相当する拡大端面図である。
【図２８】図２８は、支持部材の斜視図である。
【図２９】図２９は、回路ケースを右側後方から見た斜視図である。
【図３０】図３０は、カバー部材を回路ケースに固定する手順を示すもので、左図は、カバー部材を回路ケースに固定する過程を示す背面図であり、右図は、カバー部材を回路ケースに固定した状態を示す背面図である。
【図３１Ａ】図３１Ａは、制御回路ユニットを右側後方から見た斜視図である。
【図３１Ｂ】図３１Ｂは、図３１ＡのＧI−ＧI線における断面図である。
【図３２】図３２は、支持部材３３及び回路ケース３８の図３１ＡのＧII−ＧII線における断面図である。
【図３３Ａ】図３３Ａは、実施形態３の形態Ｂの図３１Ａ相当図である。
【図３３Ｂ】図３３Ｂは、図３３ＡのＨ−Ｈ線における断面図である。
【図３４Ａ】図３４Ａは、実施形態３の形態Ｃの図３１Ａ相当図である。
【図３４Ｂ】図３４Ｂは、図３４ＡのＩ−Ｉ線における断面図である。
【図３５】図３５は、実施形態３の形態Ｄの回路ケースを左側前方から見た斜視図である。
【図３６】図３６は、実施形態３の形態Ｅの図２７相当図である。
【図３７】図３７は、実施形態３の形態Ｆの図２８相当図である。
【発明を実施するための形態】
【００２５】
以下、本発明の実施形態１〜３を図面に基づいて詳細に説明する。以下の好ましい実施形態の説明は、本質的に例示に過ぎず、本発明、その適用範囲あるいはその用途を制限することを意図するものではない。
【００２６】
説明の都合上、各実施形態毎に、符号が独立している。そのため、他の実施形態におけるものと同じ概念に対しても、異なる符号が付されていたり、異なる概念に対しても、同じ符号が付されていたり、する場合がある。
【００２７】
＜実施形態１＞
はじめに、実施形態１について図面に基づいて説明する。この実施形態１は、原出願の請求項１から請求項１５に記載の構成に係るものであり、図１から図９Ｂに示されている。
【００２８】
（実施形態１の形態Ａ）
以下、実施形態１の形態Ａに係る乾燥機について説明する。
【００２９】
図１Ａに示す衣類乾燥機Ｄは、この実施形態に係る乾燥機（ヒートポンプ式乾燥機）を構成している。この衣類乾燥機Ｄは、上下方向に延びる縦長で略直方体状の外形を有する筐体１を備えていて、筐体１前面の略中央部には、正面前方から見て略円形状の衣類投入口（不図示）が開口している。この衣類投入口は、揺動可能に取り付けられた蓋部１１により開閉されるようになっている。蓋部１１が開いたときには、衣類投入口を介して、筐体１内に設けた収容空間２１内に、乾燥対象物としての衣類Ｃを収容することができる。
【００３０】
初めに、この実施形態１の形態Ａに係る衣類乾燥機Ｄの全体構成について説明する。
【００３１】
また、筐体１前面の下側且つ右側には、筐体１内の空気と外気とを連通させる吸気口１２が開口している一方で、筐体１後面の上側且つ左側（筐体１を後側から見たときの上側且つ左側）には、この吸気口１２とは別に、筐体１内の空気と外気とを連通させる排気口１３が開口している。
【００３２】
図１Ｂは、筐体１の右側面を開放した状態を示している。この図に示すように、筐体１内の上部には、前記収容空間２１を形成するドラム部２が設けられている。このドラム部２は、ドラム収容部２２と、ドラム本体（不図示）とを有していて、この実施形態１の形態Ａに係る収容部を構成している。また、筐体１内の下部には、冷却用ファン装置６１と、補助熱交換器５５と、圧縮機５２とが、前側から順に、前後に並んで配設されている。
【００３３】
具体的に、ドラム収容部２２は、前後方向に延びる略円筒状に形成されていて、衣類投入口に対して連通接続されている。ドラム本体は、有底円筒状に形成されていて、その開口を衣類投入口に向けた状態で、ドラム収容部２２に対して一体的に取り付けられている。ドラム収容部２２とドラム本体とが、ドラム部２内に収容空間２１を形成している。
【００３４】
図３に示すように、筐体１内には、通風管４が配設されている。通風管４の両端部は、それぞれ、通風管４内の空間と、収容空間２１とを連通させるよう接続されている。したがって、通風管４により形成される通風路３は、収容空間２１を経由するエンドレスの流路として構成されている。
【００３５】
通風路３は、一端が収容空間２１に接続されて、筐体１内の空間を上下に延びる復路側通風路３１と、この復路側通風路３１とは別に、一端が収容空間２１に接続されて、筐体１内の空間を上下に延びる往路側通風路３３と、復路側通風路３１及び往路側通風路３３の他端同士を接続させると共に、筐体１内の下側の空間を前後に延びる加熱乾燥用通風路３２とを有している。
【００３６】
図３に示すように、通風路３内には、該通風路３内の空気を循環させる循環用ファン装置７が配設されている。この循環用ファン装置７は、往路側通風路３３と加熱乾燥用通風路３２との接続部付近に設けられており、加熱乾燥用通風路３２側の空気を吸い込んで、往路側通風路３３側に吐出するように構成されている。したがって、循環用ファン装置７が作動すると、加熱乾燥用通風路３２から排出された空気が、往路側通風路３３、収容空間２１及び復路側通風路３１を順次通過した後に、加熱乾燥用通風路３２に戻るような空気の流れが形成される（図３の通風路３内の白矢印参照）。
【００３７】
図３に示すように、加熱乾燥用通風路３２には、当該通風路３２を流れる空気と熱交換可能な蒸発器５１と、蒸発器５１を通過した空気と熱交換可能な凝縮器５３とが、加熱乾燥用通風路３２の上流側（通風路３内の空気の流れ方向に係る上流側）から下流側（通風路３内の空気の流れ方向に係る上流側）にかけて互いに間隔をあけて配設されている。
【００３８】
図２及び図３に示すように、前記圧縮機５２、前記蒸発器５１、絞り機構５４及び前記凝縮器５３は、それぞれ、冷媒が循環する流路を形成するように、冷媒配管５６によって順次接続されていて、この実施形態に係るヒートポンプ装置５を構成している。
【００３９】
なお、図２における前後は、それぞれ、ヒートポンプ装置５を筐体１内に取り付けた状態における前後のことであり、衣類乾燥機Ｄと、その筐体１についての前後と同じである。
【００４０】
具体的に、圧縮機５２は、通風路３外に配設されていて、筐体１内の底部において、前記吸気口１２の後方に配置されている。この圧縮機５２は、上流側の吸入口（不図示）から吸入したガス冷媒を断熱的に圧縮することにより昇温昇圧させて、下流側の吐出口（不図示）から吐出させるものである。この実施形態に係る圧縮機５２は、その駆動周波数を制御可能なインバータ回路を含んで構成されていて、この形態に係る制御手段としての制御装置１００からの入力信号に基づいて圧縮能力を増減（変更）させることができる。例えば、圧縮機５２の圧縮能力を減少させることで、圧縮能力を減少させる前よりも、比較的低温低圧の冷媒を吐出させることができる。
【００４１】
また、絞り機構５４は、圧縮機５２と同様に通風路３外に配設されていて、筐体１内の底部付近に設けられている。この絞り機構５４は、上流側の流入口（不図示）から流入した液冷媒を断熱的に膨張させることにより降温降圧させて、下流側の流出口（不図示）から流出させるものである。
【００４２】
蒸発器５１は、フィンアンドチューブ型熱交換器として構成されている。すなわち、蒸発器５１は、図２において破線で示す、放熱板としての複数のフィン５１ｃと、図２において２点破線で示す、直管状に形成された、複数のチューブ（直管部）５１ｄと、複数の接続管部５１ｆとを有し、略矩形箱状の外形を有している。各チューブ５１ｄは、各フィン５１ｃを貫くように、左右方向に沿って、互いに略平行に延びている。各接続管部５１ｆは、略Ｕ字状の曲管部として形成されていて、各チューブ５１ｄそれぞれの一端部同士を互いに接続している。この接続により、各チューブ５１ｄ内の空間が互いに連通されて、蒸発器５１内に、該蒸発器５１の長手方向に沿って往復しながら延びるような、１本の流路を形成している。
【００４３】
図３に示すように、蒸発器５１内に形成される流路の両端は、それぞれ、冷媒配管５６内に形成される流路を介して、絞り機構５４の流出口、及び、圧縮機５２の吸入口に接続されている。これにより、絞り機構５４から流出された冷媒は、蒸発器５１内の流路を通過した後に、圧縮機５２内に吸入されることになる。
【００４４】
凝縮器５３は、蒸発器５１と同様に、フィンアンドチューブ型熱交換器として構成されていて、複数のフィン５３ｃと、直管状に形成された、複数のチューブ５３ｄと、各チューブ５３ｄ内の空間を互いに連通させるように、各チューブ５３ｄの一端部同士を互いに接続する複数の接続管部５３ｆとを有し、矩形箱状の外形を有している。しかしながら、蒸発器５１とは異なり、この凝縮器５３内に形成される流路は、１本の流路ではなく、互いに独立した、第１流路５７と第２流路５８とに２分されている。
【００４５】
具体的には、前記複数の接続管部５３ｆのうちの所定の１つに接続される２つのチューブ５３ｄを、当該接続管部５３ｆに代えて、それぞれ直管状に形成された、往路側延長管部９１及び復路側延長管部９２にそれぞれ接続することができる。このように接続することで、凝縮器５３内には、図２及び図３に示すように、冷媒配管５６を介して圧縮機の吐出口（吐出側）に接続されたチューブ５３ｄ内の一端（上流端）５３ａから、往路側延長管部９１に接続されるチューブ５３ｄ内の一端（第１中間端）５３ｇまで続く第１流路５７と、これとは別に、復路側延長管部９２に接続されるチューブ５３ｄ内の一端（第２中間端）５３ｈから、冷媒配管５６を介して絞り機構５４の流入口（流入側）に接続されたチューブ５３ｄ内の一端（下流端）５３ｂまで続く第２流路５８と、が形成されている。
【００４６】
図２及び図３に示すように、第１流路５７の第１中間端５３ｇは、往路側延長管部９１を介して、通風路３外に設けた補助熱交換器５５の上流側に接続されている一方、第２流路５８の第２中間端５３ｈは、第１流路５７の第１中間端５３ｇとは別に、復路側延長管部９２を介して、補助熱交換器５５の下流側に接続されている。
【００４７】
具体的に、補助熱交換器５５は、筐体１の前面に沿って延びる矩形薄箱状に形成されていて、筐体１内の底部において、吸気口１２の後方且つ、圧縮機５２の前方に位置するように配設されている。この補助熱交換器５５は、蒸発器５１及び凝縮器５３と同様に、フィンアンドチューブ型熱交換器として構成されており、補助熱交換器５５内には、図３に示すように、１本の放熱用流路５９が形成されている。この放熱用流路５９の上流端５５ａ及び下流端５５ｂは、図２に示すように、それぞれ、往路側延長管部９１及び復路側延長管部９２を介して、前記第１中間端５３ｇ及び第２中間端５３ｈに接続されている。したがって、補助熱交換器５５は、凝縮器５３内の流路に対して直列に接続されることになる。つまり、圧縮機５２から吐出されて、凝縮器５３内に流入した冷媒は、凝縮器５３内の第１流路５７、往路側延長管部９１内の流路、補助熱交換器５５内の放熱用流路５９、復路側延長管部９２内の流路、及び、凝縮器５３内の第２流路５８を順次通過した後に、凝縮器５３内から流出されて、絞り機構５４内に流入することになる。
【００４８】
したがって、ヒートポンプ装置５が作動すると、図３に示すように、圧縮機５２により昇温昇圧されて吐出されたガス冷媒は、初めに、凝縮器５３を通過して凝縮される。このとき、凝縮器５３内に流入した冷媒は、第１流路５７を通過してから、一旦、通風路３外に流出して、補助熱交換器５５内の放熱用流路５９を通過する。放熱用流路５９を通過した冷媒は、再び通風路３内に戻って、凝縮器５３内の第２流路５８を通過することにより、凝縮器５３外に流出する。次に、凝縮器５３を通過して液状となった冷媒は、絞り機構５４で降温降圧されて流出された後に、蒸発器５１を通過して蒸発する。そして、蒸発器５１を通過してガス状となった冷媒は、圧縮機５２に戻る（図３の黒矢印参照）。
【００４９】
このようにして循環する冷媒は、蒸発器５１を通過する際に生じる気化熱で空気を冷却して除湿すると共に、凝縮器５３を通過する際に生じる凝縮熱で空気を加熱するようになっている。さらに、凝縮器５３内に流入した冷媒は、補助熱交換器５５を通過する際に、通風路３外の空気との熱交換により放熱されて、冷却される。
【００５０】
また、図３に示すように、圧縮機５２と凝縮器５３とを接続する冷媒配管５６において、圧縮機５２の直下流側部分には、当該部分を流れる冷媒温度を検出可能な冷媒温度センサＳＷ１が取り付けられている。
【００５１】
また、通風管４の底部には、蒸発器５１の略直下部位を貫通し、加熱乾燥用通風路３２と通風管４外の空間とを連通させるドレン孔（不図示）が穿設されていて、このドレン孔により、加熱乾燥用通風路３２を流れる空気を蒸発器５１で除湿したときに生じる凝縮水を、通風路３外に排出するようになっている。
【００５２】
また、通風管４の下方には、上方に向けて開口した受け皿部（不図示）が配設されている。この受け皿部は、ドレン孔を通じて排出された凝縮水を、収容するようになっている。
【００５３】
この実施形態に係る冷却手段６は、前記冷却用ファン装置６１と、排気用ファン装置６２と、を含んで構成されていて、補助熱交換器５５を冷却可能に構成されている。この冷却手段６は、補助熱交換器５５を冷却することで、補助熱交換器５５内の放熱用流路５９を流れる冷媒から放熱させる。
【００５４】
冷却用ファン装置６１は、図３に示すように、筐体１内の底部において、吸気口１２と補助熱交換器５５との間に位置するように配設されている。この冷却用ファン装置６１は、吸気口１２を介して取り込んだ筐体１外の外気を、後方に向けて送風可能に構成されていて、制御装置１００からの入力信号に基づいてＯＮ／ＯＦＦ制御される（図７参照）。前記のように、冷却用ファン装置６１、補助熱交換器５５及び圧縮機５２は、前側から順番に並んで配設されているから（図１Ｂ参照）、冷却用ファン装置６１からの送風は、補助熱交換器５５と、圧縮機５２とを、順次、直接的に冷却する。
【００５５】
また、前記排気用ファン装置６２は、図３に示すように、筐体１内の上部において、排気口１３の直前方に配設されている。排気用ファン装置６２は、筐体１内における通風路３外の空気を、筐体１外に排出可能に構成されていて、冷却用ファン装置６１と同様に、制御装置１００からの入力信号に基づいて、ＯＮ／ＯＦＦ制御される（図７参照）。前記のように、補助熱交換器５５を流れる冷媒は、筐体１内における通風路３外の空気に対して放熱するよう構成されているから、ヒートポンプ装置５が作動することで、補助熱交換器５５付近の空気は、放熱された熱量の分だけ昇温されることになる。また、圧縮機５２の作動に伴い、この圧縮機５２付近の空気も昇温されることになる。したがって、ヒートポンプ装置５の作動が続くうちに、補助熱交換器５５及び圧縮機５２付近の空気は、通風路３外の他の空気よりも、比較的高温となる。排気用ファン装置６２が作動することで、そうした補助熱交換器５５及び圧縮機５２付近の、比較的高温の空気が排出されて、そのことで、補助熱交換器５５及び圧縮機５２からの放熱が促進される。つまり、排気用ファン装置６２による排気は、補助熱交換器５５と、圧縮機５２とを、間接的に冷却する。
【００５６】
前記のように構成された衣類乾燥機Ｄは、制御装置１００により制御される。制御装置１００は、マイクロコンピュータにより構成されていて、収容空間２１内に投入された衣類Ｃに対する乾燥等の処理を、予め設定された複数の運転工程を経て行う制御を実行する。
【００５７】
図７に示すように、制御装置１００には、各種の信号が入力される。そうした信号としては、前記冷媒温度センサＳＷ１からの検出信号、及び、使用者の操作による入力信号を含む。
【００５８】
制御装置１００は、冷媒温度センサＳＷ１からの検出信号に基づいて種々の演算を行うことにより、圧縮機５２で昇温昇圧された直後の冷媒温度を検出する。そして、検出された冷媒温度に基づいて冷却手段６を作動させて、補助熱交換器５５を冷却させる。
【００５９】
制御装置１００はまた、使用者の操作に基づいて、圧縮機５２の制御方式を、２つの方式のうちのいずれかに設定する（図７参照）。具体的には、使用者による操作パネルＳＷ２への入力結果に基づいて、圧縮機５２の圧縮能力を比較的低く設定する省エネルギー運転方式と、それよりも、比較的高く設定するスピード運転方式との間で切り換えることができる。
【００６０】
省エネルギー運転方式に設定された場合、圧縮機５２の圧縮能力は、スピード運転方式よりも低く設定されることになる。そのことで、圧縮機５２から吐出される冷媒は、圧縮能力を低く設定した分だけ比較的低温低圧となって、衣類Ｃの乾燥を完了するのに必要な消費電力を削減する。
【００６１】
一方で、スピード運転方式に設定された場合、圧縮機５２の圧縮能力は、省エネルギー運転方式よりも高く設定されることになる。そのことで、圧縮機５２から吐出される冷媒は、圧縮能力を高く設定した分だけ比較的高温高圧となって、衣類Ｃの乾燥を完了するのに必要な時間を削減する。
【００６２】
次に、前記のように構成された衣類乾燥機Ｄが運転するときの、ヒートポンプ装置５及び冷却手段６の作動の詳細と、補助熱交換器５５内を流れる冷媒からの放熱量と、について説明する。
【００６３】
この実施形態に係る衣類乾燥機Ｄが運転を開始すると、循環用ファン装置７及びヒートポンプ装置５が作動する。
【００６４】
循環用ファン装置７が作動すると、通風路３内における循環用ファン装置７の直上流側が負圧となる一方で、循環用ファン装置７の直下流側が正圧となる。この差圧に従って、収容空間２１内の空気は、通風路３内を循環することになる。
【００６５】
また、ヒートポンプ装置５が作動することにより、圧縮機５２に設定された制御方式に基づいて、蒸発器５１内の流路には比較的低温の冷媒が流れる一方で、凝縮器５３内の流路には比較的高温の冷媒が流れることになる。
【００６６】
したがって、収容空間２１の空気は、加熱乾燥用通風路３２を通過するときに、蒸発器５１で冷却及び除湿された後、凝縮器５３で加熱されることになる。
【００６７】
また、ヒートポンプ装置５が作動している最中、凝縮器５３内に流入した冷媒は、前述のように、初めに、凝縮器５３内の第１流路５７を通過することにより、加熱乾燥用通風路３２を流れる空気を加熱する。第１流路５７を通過した冷媒は、次に、通風路３外の補助熱交換器５５を通過することにより、通風路３外の空気に放熱する。そして、補助熱交換器５５を通過した冷媒は、再び通風路３内に戻って、凝縮器５３内の第２流路５８を通過することにより、加熱乾燥用通風路３２内の空気を再び加熱する。
【００６８】
前記のような工程を繰り返し行うことで、通風路３内を循環して収容空間２１内に流入する空気は、比較的高温低湿の状態に保持されることになる。収容空間２１内の衣類Ｃは、そうした空気と繰り返し接触することにより、該衣類Ｃに含まれる水分が蒸発されて、乾燥されることになる。衣類Ｃから蒸発した水分は、蒸発器５１により凝縮されて除湿される。
【００６９】
蒸発器５１より除湿された水分は、凝縮水として蒸発器５１表面に付着する。この付着した凝縮水は、ドレン孔を通じて通風路３外に排出されて、受け皿部上に収容される。
【００７０】
前記のようなヒートポンプ装置５を継続的に作動させていくうちに、圧縮機５２の温度や筐体１内の空気の温度は上昇していく。その温度上昇に伴い、凝縮器５３及び蒸発器５１を流れる冷媒の温度及び圧力も上昇していく。そのようにして、冷媒が過熱及び過圧されてしまうことで、圧縮機５２の動作に不都合を招く虞がある。
【００７１】
そこで、この実施形態に係る制御装置１００は、冷媒温度センサＳＷ１からの検出結果に基づいて、圧縮機５２から吐出された直後の冷媒温度が所定温度（冷却開始温度）を上回っていると判定したときには、冷媒が過熱及び過圧されてしまうことのないよう、冷却手段６（つまり、冷却用ファン装置６１及び排気用ファン装置６２）を作動させることにより、補助熱交換器５５を冷却させる。補助熱交換器５５を冷却することで、補助熱交換器５５内の放熱用流路５９を流れる冷媒からの放熱が促進されて、冷媒の過熱及び過圧を防止することができる。冷却手段６は、冷媒温度が所定温度（冷却停止温度）以下になるまで、補助熱交換器５５を冷却する。なお、この実施形態では、前記冷却開始温度は、圧縮機５２の動作に支障を来すことなく、冷媒を圧縮可能な冷媒温度以下の温度に設定されている。また、前記冷却停止温度は、前記冷却開始温度以下の温度に設定されている。
【００７２】
以下では、この実施形態１の形態Ａに係る補助熱交換器５５からの放熱量について、凝縮器の直上流側に補助熱交換器を直列に接続した従来構成（以下では、これを第１の従来構成と記載）と比較する。第１の従来構成においては、凝縮器内に流入する前の冷媒から放熱させることになることから、冷却手段の構成又は運転状態次第では、必要以上に放熱させてしまい、通風路内を流れる空気の加熱に支障を来してしまう虞がある。一方で、実施形態１の形態Ａに係る構成では、冷却手段６は、凝縮器５３内の第１流路５７を通過した後の冷媒から放熱させることになるから、第１流路５７を通過する際の熱交換に消費した熱量の分だけ、放熱用流路５９を通過する冷媒から放熱可能な熱量は、第１の従来構成よりも小さくなる。言い換えると、冷却手段６の構成又は運転状態に拘わらず、第１流路５７を通過する冷媒から消費される熱量、つまり、通風路３内を流れる空気を加熱するのに使用される熱量は、一定に保持されることになる。したがって、冷却手段６を作動させたとしても、通風路３を流れる空気を、第１の従来構成よりも比較的十分に加熱することができるから、空気の加熱に支障を来してしまうような事態を防止することができる。
【００７３】
次に、この実施形態に係る補助熱交換器５５からの放熱量について、凝縮器の直下流側に補助熱交換器を直列に接続した別の従来構成（以下では、これを第２の従来構成と記載）と比較する。この第２の従来構成においては、凝縮器を通過した後の冷媒から放熱させることになるから、圧縮機の吐出側から凝縮器の下流側までの区間を流れる、比較的高温高圧の冷媒からは、直接的に放熱させることができない。ゆえに、冷却手段を作動させたとしても、冷媒からの放熱量が不足してしまい、冷媒が過熱及び過圧されて、圧縮機の動作に支障を来してしまう虞がある。一方で、前記実施形態１の形態Ａに係る構成では、冷却手段６は、凝縮器５３内の第２流路５８を通過する前の冷媒から放熱させることになるから、第２流路５８を通過する際の熱交換に消費されることになる熱量の分だけ、放熱用流路５９を通過する冷媒から放熱可能な熱量は、第２の従来構成よりも大きくなる。したがって、冷却手段６を作動させたときに、第２の従来構成よりも比較的十分に放熱させることができるから、冷媒の過熱及び過圧を防止して、圧縮機５２の動作に支障を来してしまうような事態を防止することができるようになる。
【００７４】
以上説明したように、前記実施形態１の形態Ａに係る衣類乾燥機Ｄは、放熱量が不足し得る構成（第２の従来構成）よりも放熱量を増大させる一方で、放熱量が過剰になり得る構成（第１の従来構成）よりも放熱量を低減させることができる。したがって、実施形態１の形態Ａに係る衣類乾燥機Ｄは、補助熱交換器５５からの放熱量が不足してしまう事態と、過剰になってしまう事態とを、それぞれ、防止することができるため、その結果、加熱乾燥用通風路３２を流れる空気の加熱に支障を来すことなく、冷媒の過熱及び過圧を防止することができるように、放熱量を適量にすることができる。
【００７５】
よって、衣類乾燥機Ｄは、補助熱交換器５５からの放熱量を適量にすることが出来るという点で、従来構成よりも、その性能を向上させることができる。
【００７６】
しかも、この実施形態１の形態Ａに係る衣類乾燥機Ｄは、凝縮器５３と補助熱交換器５５との間の接続部に、切換弁に相当する部材を必要としない。したがって、当該部材、及び、その制御系の分だけ、製造コストを抑止することができる。
【００７７】
さらに、冷却用ファン装置６１及び排気用ファン装置６２は、双方とも、ＯＮ／ＯＦＦ制御により駆動されるものであるから、制御系が簡素になる分だけ、製造コストを抑止することができる。
【００７８】
また、凝縮器５３内の流路に対して補助熱交換器５５を直列に接続することで、補助熱交換器５５を凝縮器５３の直上流側、又は、直下流側に直列に接続した構成よりも、ヒートポンプ装置５を循環する冷媒が、圧縮機５２、凝縮器５３、絞り機構５４及び蒸発器５１を一巡するのに必要な流路長を短く取ることができる。したがって、流路長を短く取った分だけ、圧縮機５２にかかる負荷を低減することができる。そうすることで、衣類乾燥機Ｄの運転に必要な消費電力を低減することができる。また、ヒートポンプ装置５を安価に構成する上でも有利になる。
【００７９】
なお、実施形態１の形態Ａに係る構成により奏する効果は、冷却手段６を作動させて補助熱交換器５５を冷却したときの放熱量を適量にする上で、取り分け有効に発揮されるものであるが、この構成は、冷却手段６を作動させずに、補助熱交換器５５内を流れる冷媒から自然放熱させるときにも、放熱量を適量にする上で有利となるものである。
【００８０】
また、冷却手段６として、補助熱交換器５５を直接的に冷却する冷却用ファン装置６１と、補助熱交換器５５からの放熱を促進する排気用ファン装置６２とを共に作動させたから、補助熱交換器５５からの放熱量を増大させる上で有利になる。
【００８１】
第１の従来構成においては、補助熱交換器５５からの放熱量を増大させることで、空気の加熱に支障を来してしまうような事態が懸念されるが、前述のように、この実施形態に係る衣類乾燥機Ｄは、そうした事態を防止することができる。ゆえに、補助熱交換器５５からの放熱量を比較的十分に増大させることで、冷媒が過熱及び過圧してしまうような事態を、より確実に防止することができる。
【００８２】
冷却用ファン装置６１を適用することで、補助熱交換器５５と外気とを直接的に接触させることができるから、冷却性能を増大させる上で有利になる。
【００８３】
排気用ファン装置６２は、筐体１の後面側に設けられるから、冷却用ファン装置６１とは異なり、衣類収容口及び蓋部１１との干渉の虞がないため、配設箇所を比較的容易に変更することができる。そのことで、排気用ファン装置６２の駆動電圧を増減させずとも、冷却性能を比較的容易に調整することができる。例えば、排気口１３及び排気用ファン装置６２を設ける箇所を、筐体１後面の上側から下側に変更することで、圧縮機５２及び補助熱交換器５５に接近させることができる。そうすることで、接近させた分だけ、圧縮機５２及び補助熱交換器５５付近の空気を排気する上で有利になり、ひいては、圧縮機５２及び補助熱交換器５５の冷却性能を増大させることができる。このように、筐体１の後面側に排気口１３及び排気用ファン装置６２を配設することにより、配設箇所の変更を通じて冷却性能を調整することができるから、部品共通化を図り、ひいては、製造コストを低減する上で有利になる。
【００８４】
また、圧縮機５２の圧縮能力を増減可能に構成したから、前述のように、圧縮能力が比較的低く設定された省エネルギー運転方式と、それよりも圧縮能力が比較的高く設定されたスピード運転方式とを使い分けることができる。省エネルギー運転方式に設定したときには、圧縮機５２から吐出される冷媒は、スピード運転方式に設定したときよりも、比較的低温低圧となるから、その分だけ、冷却手段６を作動させる頻度を減らして、ひいては、衣類の乾燥を完了するのに必要な消費電力を低減することができる。一方で、衣類Ｃの乾燥を急ぐときには、スピード運転方式に設定することで、衣類Ｃの乾燥を完了するのに必要な時間を短縮することができる。
【００８５】
また、圧縮機５２と凝縮器５３とを接続する冷媒配管５６において、圧縮機５２の直下流側部分に、当該部分を流れる冷媒温度を検出するための冷媒温度センサＳＷ１を取り付けたから、圧縮機５２により昇温昇圧された直後の冷媒温度を検出することができるようになる。この部分には、他の部分よりも比較的高温高圧の冷媒が流れることになるから、冷媒の過熱及び過圧を防止する上で、より適切なタイミングで冷却手段６を作動させることができるようになる。
【００８６】
また、冷媒温度センサＳＷ１からの検出結果に基づいて、圧縮機５２から吐出した直後の冷媒温度が所定の冷却開始温度を超えたときに、冷却用ファン装置６１及び排気用ファン装置６２を作動させるようにしたから、例えば、乾燥工程を開始した直後のように、冷媒が比較的低温低圧で、補助熱交換器５５を冷却する必要がないものと判断されるときには、冷却手段６を作動させずに停止させておくことができる。そのことで、冷却用ファン装置６１及び排気用ファン装置６２の駆動に必要な電力量の分だけ、消費電力を低減することができる。
【００８７】
また、凝縮器５３内に形成される流路を、第１流路５７と第２流路５８とに２分したから、第１流路５７と第２流路５８との間の流路長比を変更することで、補助熱交換器５５から放熱可能な熱量を調整することができる。
【００８８】
例えば、第１流路５７の流路長をより短くすることで、その分だけ、第２流路５８の流路長は長く取られることになる。そうすることで、第１流路５７を通過する冷媒が熱交換に消費する熱量が小さくなって、放熱用流路５９を流れる冷媒から放熱可能な熱量を大きく取ることができる。
【００８９】
また、接続管部５３ｆに代わって往路側延長管部９１及び復路側延長管部９２に接続されることになる２本のチューブ５３ｄを、図２に示すものから変更することができる。そうすることで、第１流路５７と第２流路５８との間の流路長比を変更することができる。つまり、凝縮器５３の全体構成、ひいては、各チューブ５３ｄの形態を変更せずとも、所定の接続管部５３ｆを、往路側延長管部９１及び復路側延長管部９２に置き換えることで、凝縮器５３内に第１流路５７と第２流路５８とを形成することができる。したがって、凝縮器５３内に第１流路５７と第２流路５８とを容易に形成することができる。しかも、第１流路５７と第２流路５８との間の流路長比を変更する上でも有利になると共に、部品共通化を図り、製造コストを抑止する上でも有利になる。
【００９０】
（実施形態１の形態Ａの変形例）
以下では、実施形態１の形態Ａの変形例について説明する。
【００９１】
前記実施形態１の形態Ａにおいては、一体の熱交換器から構成された凝縮器５３について説明したが、これに代えて、凝縮器５３を、互いに別体として構成された、２つ以上の熱交換器から構成してもよい。例えば、図４Ａに示すように、凝縮器５３を、第１凝縮器５３’と、第１凝縮器５３’の直下流側に配設される第２凝縮器５３’’とから構成してもよい。
【００９２】
この場合、前記実施形態１の形態Ａにおいて、凝縮器５３内に形成される第１流路５７及び第２流路５８は、それぞれ、第１凝縮器５３’及び第２凝縮器５３’’内に形成される流路に対応することになる。その場合、補助熱交換器５５内の放熱用流路５９は、凝縮器５３内の流路に対して直列に接続されるように、つまり、図４Ａに示すように、第１凝縮器５３’内の流路５７と、第２凝縮器５３’’内の流路５８との間に接続されることになる。そのように接続することで、凝縮器５３内に流入した冷媒は、第１凝縮器５３’内の流路５７、放熱用流路５９、及び、第２凝縮器５３’’内の流路５８を順次通過するようになる。
【００９３】
また、図４Ｂに示すように、第１中間端５３ｇから続く流路を分岐させて、第１流路５７を通過して第１中間端５３ｇから流出した冷媒を、補助熱交換器５５内の放熱用流路５９をバイパスして第２流路５８の第２中間端５３ｈに供給するバイパス流路９３を新設して、その分岐部に、流路選択手段８１を設けてもよい。
【００９４】
具体的には、バイパス流路９３は、図４Ｂに示すように、往路側延長管部９１内と、復路側延長管部９２内とを連通させるように形成されている。流路選択手段８１は、バイパス流路９３と、往路側延長管部９１内との接続部付近に設けられている。
【００９５】
この流路選択手段８１は、図８に示すように、制御装置１００からの制御信号に基づいて作動することにより、第１流路５７を通過して第１中間端５３ｇから流出した冷媒が、放熱用流路５９又はバイパス流路９３を流れるように切り換える。
【００９６】
このように構成することで、補助熱交換器５５からの放熱が不要なときには、流路選択手段８１の制御を介して、凝縮器５３内に流入した冷媒に、放熱用流路５９をバイパスさせることで、補助熱交換器５５からの不要な放熱を遮断することができる。そうすることで、空気を加熱するのに必要な熱量を得る上で有利になると共に、不要な放熱を遮断した分だけ、圧縮機５２、ひいては、冷却手段６の作動に要する消費電力量を低減することもできる。
【００９７】
また、凝縮器５３内に形成される第１流路５７及び第２流路５８の形態については、前述の構成に限定されない。例えば、凝縮器内の流路を３分したり、補助熱交換器５５を２つ以上配設したり、してもよい。
【００９８】
（実施形態１の形態Ｂ）
次に、実施形態１の形態Ｂに係る衣類乾燥機（ヒートポンプ式乾燥機）Ｄについて説明する。以下では、実施形態１の形態Ａ、及びその変形例に係る構成との間の差異と、その差異により奏する効果について説明する。
【００９９】
図５に示すように、この実施形態１の形態Ｂに係る補助熱交換器５５は、凝縮器５３に対して並列に接続されている。したがって、圧縮機５２の下流側から続く流路は、この接続部にて、凝縮器５３の上流端５３ａに続く流路と、補助熱交換器５５の一端（下流側の一端）に続く流路とに分岐している。一方で、凝縮器５３の下流側から続く流路と、補助熱交換器５５の下流側から続く流路とは、図５に示すように、絞り機構５４の直上流側に設けられた、別の接続部にて集合していて、この別の接続部から、絞り機構５４の上流側まで続く１本の流路を形成している。
【０１００】
したがって、実施形態１の形態Ｂに係るヒートポンプ装置５が作動している最中、凝縮器５３内には、圧縮機５２から吐出された冷媒のうちの所定量が流れ続ける一方で、補助熱交換器５５内には、圧縮機５２から吐出された冷媒の残量が流れ続けることになる。
【０１０１】
そして、実施形態１の形態Ｂに係る制御装置１００は、冷媒温度センサＳＷ１からの検出結果に基づいて、圧縮機５２を通過した直後の冷媒温度が前記冷却開始温度を上回っていると判定したときには、冷媒の過熱及び過圧を防止すべく、冷却手段６（つまり、冷却用ファン装置６１及び排気用ファン装置６２）を作動させる。冷却手段６は、前記冷媒温度が前記冷却停止温度を下回るまで、補助熱交換器５５を冷却する。
【０１０２】
実施形態１の形態Ｂに係る補助熱交換器５５からの放熱量については、前記実施形態１の形態Ａに係る補助熱交換器５５と同様の効果が得られることになる。以下では、具体的に、第１の従来構成との比較を行う。この第１の従来構成においては、前述の事情により、凝縮器内に流入する前の冷媒から、必要以上に放熱させてしまう虞がある。一方で、前記実施形態１の形態Ｂに係る構成では、圧縮機から流出した冷媒のうちの所定量については、補助熱交換器５５を経由せずに、凝縮器５３内に流入することになるから、その所定量の分だけ、空気の加熱に使用する熱量を得ることができる。したがって、冷却手段６が作動したとしても、補助熱交換器５５を流れる冷媒からの放熱量を、第１の従来構成よりも小さく取ることができる。その結果、放熱量が過剰になってしまい、ひいては、空気の加熱に支障を来してしまうような事態を防止することができる。
【０１０３】
次に、前記第２の従来構成との比較を行う。この第２の従来構成においては、前述の事情により、凝縮器に通過した後の冷媒から放熱させることになるから、そのことで、放熱量が不足してしまう虞がある。一方で、前記実施形態１の形態Ｂに係る構成では、圧縮機５２から吐出された冷媒のうちの所定量については、凝縮器５３を通過せずに、補助熱交換器５５を流れることになるから、その所定量の分だけ、冷媒から放熱可能な熱量を得ることができる。したがって、冷却手段６が作動したときに、補助熱交換器５５を流れる冷媒からの放熱量を、第２の従来構成よりも大きく取ることができる。その結果、放熱量が不足してしまい、ひいては、圧縮機５２の作動に不都合を来してしまうような事態を防止することができる。
【０１０４】
こうして、前記実施形態１の形態Ｂに係る衣類乾燥機Ｄは、実施形態１の形態Ａに係る衣類乾燥機Ｄと同様に、放熱量が不足し得る構成（第２の従来構成）よりも放熱量を増大させる一方で、放熱量が過剰になり得る構成（第１の従来構成）よりも放熱量を低減させることができる。したがって、実施形態１の形態Ｂに係る衣類乾燥機Ｄは、実施形態１の形態Ａに係る衣類乾燥機Ｄと同様に、加熱乾燥用通風路３２を流れる空気の加熱に支障を来すことなく、冷媒の過熱及び過圧を防止することができるように、放熱量を適量にすることができる。
【０１０５】
しかも、この実施形態１の形態Ｂに係る構成は、凝縮器５３と補助熱交換器５５との間の接続部に、切換弁に相当する部材を必要としない。したがって、当該部材、及び、その制御系の分だけ、製造コストを抑止することができる。
【０１０６】
さらに、冷却用ファン装置６１及び排気用ファン装置６２からの送風量を可変にする必要もないから、その分だけ、製造コストを抑止することができる。
【０１０７】
さらに、冷却用ファン装置６１及び排気用ファン装置６２は、双方とも、比較的簡単なＯＮ／ＯＦＦ制御により駆動されるものであるから、送風量を可変にした構成よりも、制御系が簡素になる分だけ、製造コストを抑止することができる。
【０１０８】
また、凝縮器５３に対して補助熱交換器５５を並列に接続することで、実施形態１の形態Ａに係る構成と同様に、ヒートポンプ装置５を循環する冷媒が、圧縮機５２、凝縮器５３、絞り機構５４及び蒸発器５１を一巡するのに必要な流路長を短く取ることができる。したがって、流路長を短く取った分だけ、圧縮機５２にかかる負荷を低減することもできる。そうすることで、衣類乾燥機Ｄの運転に必要な消費電力を低減することができる。また、ヒートポンプ装置５を安価に構成する上でも有利になる。
【０１０９】
なお、実施形態１の形態Ｂに係る構成により奏する効果は、冷却手段６を作動させて補助熱交換器５５を冷却したときの放熱量を適量にする上で、取り分け有効に発揮されるものであるが、この構成は、実施形態１の形態Ａと同様に、冷却手段６を作動させずに、補助熱交換器５５内を流れる冷媒から自然放熱させるときにも、放熱量を適量にする上で有利となるものである。
【０１１０】
（実施形態１の形態Ｂの変形例）
以下では、実施形態１の形態Ｂの変形例について説明する。
【０１１１】
実施形態１の形態Ｂの変形例としては、図６に示すように、上流側の分岐部（接続部）に流路切換手段８２を設けてもよい。
【０１１２】
この流路切換手段８２は、制御装置１００からの制御信号に基づいて、圧縮機５２から吐出された冷媒のうちの全量を凝縮器５３内に流すか、又は、当該吐出された冷媒のうちの所定量を補助熱交換器５５に流し且つ残量を凝縮器５３に流すかを、択一的に切換可能に構成されている。
【０１１３】
この構成によると、補助熱交換器５５からの放熱が不要なときには、圧縮機５２から吐出された冷媒のうちの全量を凝縮器５３に流すことで、補助熱交換器５５からの放熱を遮断することができる。そうすることで、空気を加熱する上で有利になると共に、不要な放熱を抑止した分だけ、圧縮機５２、ひいては冷却手段６の作動に要する消費電力量を低減することもできる。
【０１１４】
（実施形態１の形態Ｃ）
以下では、実施形態１の形態Ｃについて説明する。
【０１１５】
図４Ｂに示す実施形態１の形態Ａの変形例では、補助熱交換器５５が凝縮器５３内の流路に対して直列に接続された場合にあって、バイパス流路９３と、流路選択手段８１と、を設けた構成を開示しており、この流路選択手段８１は、第１流路５７を通過した冷媒に補助熱交換器５５内の放熱用流路５９をバイパスさせる流路と、放熱用流路５９を通過させる流路と、の間で択一的に切換可能に構成されていた。
【０１１６】
実施形態１の形態Ｃは、そうした流路選択手段８１を、圧縮機５２から吐出されて第１流路５７を通過した冷媒のうち補助熱交換器５５をバイパスさせるバイパス流量Ｑｂと補助熱交換器５５を流れさせる放熱流量Ｑｃとを調整可能な流量分配手段に置き換えることによって得られる。
【０１１７】
この形態Ｃでは、流量分配手段は、ソレノイド弁として構成されており、制御装置１００からの制御信号に基づいて、バイパス流量Ｑｂに対する放熱流量Ｑｃの割合Ｑｒ（＝Ｑｃ／Ｑｂ）を、０〜１００％の範囲で変更することができる。例えば、割合Ｑｒ＝０％のときには、第１流路５７を通過した冷媒の全量Ｑｔに補助熱交換器５５をバイパスさせる一方、割合Ｑｒ＝１００％のときには、第１流路５７を通過した冷媒の全量Ｑｔに補助熱交換器５５内の放熱用流路５９を流れさせることになる。また、放熱流量Ｑｃは、割合Ｑｒが０％から１００％に向かって増大するにつれて、単調に増大する。
【０１１８】
なお、放熱流量Ｑｃが増大するにつれて、補助熱交換器５５からの放熱が促進される一方、放熱流量Ｑｃが減少するにつれて、補助熱交換器５５からの放熱が抑止されることになる。
【０１１９】
この形態Ｃにおいて、凝縮器５３内の流路５７，５８を流れる冷媒量は、割合Ｑｒの大小に拘わらず、一定に保持される。
【０１２０】
この形態Ｃに係る制御装置１００は、冷媒温度センサＳＷ１による検出結果に基づいて、冷却手段６と流量分配手段とを制御するように構成されている。
【０１２１】
そうした構成は、図４Ｂ及び図８において、流路選択手段８１を流量分配手段に置換することによって得られる。
【０１２２】
この形態Ｃに係る制御装置１００は、ヒートポンプ装置５が作動を開始するときに、圧縮機５２から吐出された冷媒の全量Ｑｔがバイパス流量Ｑｂになるように、流量分配手段を制御する。
【０１２３】
そして、制御装置１００は、冷媒温度センサＳＷ１による検出結果に基づいて、冷媒温度が所定の目標温度Ｔ０よりも高く設定された第１温度Ｔ１を超えたか否かを判定すると共に、第１温度Ｔ１を超えたと判定したときには、バイパス流量Ｑｂを所定量ΔＱだけ減少させて、その減少量ΔＱの分だけ、補助熱交換器５５を流れる放熱流量Ｑｃを増大させるように流量分配手段を制御する。この形態Ｃにおける第１温度Ｔ１は、前記形態Ａ〜Ｂにおける冷却開始温度に相当している。
【０１２４】
制御装置１００は、そうした制御を行うときに、冷却手段６も作動させる。制御装置１００は、冷媒温度が目標温度Ｔ０を下回るまで、冷却手段６に補助熱交換器５５を冷却させる。この形態Ｃにおける目標温度Ｔ０は、前記形態Ａ〜Ｂにおける冷却停止温度に相当している。
【０１２５】
また、制御装置１００は、冷媒温度センサＳＷ１による検出結果に基づいて、冷媒温度が第１温度Ｔ１よりも高く設定された第２温度Ｔ２を超えたか否かを判定すると共に、第２温度Ｔ２を超えたと判定したときには、バイパス流量Ｑｂを、さらに所定量ΔＱだけ減少させて、その減少量ΔＱの分だけ、放熱流量Ｑｃを、さらに増大させるように流量分配手段を制御する。
【０１２６】
一方で、制御装置１００は、冷媒温度センサＳＷ１による検出結果に基づいて、冷媒温度が目標温度Ｔ０よりも低く設定された第３温度Ｔ３を下回ったか否かを判定すると共に、第３温度Ｔ２を下回ったと判定したときには、放熱流量Ｑｃを所定量ΔＱだけ減少させて、その減少量の分だけ、バイパス流量Ｑｂを増大させるように流量分配手段を制御する。
【０１２７】
また、この形態Ｃに係る制御装置１００は、冷媒温度センサＳＷ１による検出結果に基づいて、圧縮機５２の圧縮能力を増減させることができるように構成されており、冷却手段６の制御と、流量分配手段の制御と、圧縮機５２の制御と、を組み合わせることによって、冷媒温度、ひいては通風路３内を流れる空気の温度を一定に保持するように構成されている。
【０１２８】
以下、前記のように構成された制御装置１００を用いた制御の一例について説明する。
【０１２９】
図９Ａは、衣類乾燥機Ｄにおいて、運転開始後の経過時間ｔに対する冷媒温度の振る舞いを概略的に示している。
【０１３０】
衣類乾燥機Ｄが運転を開始すると、制御装置１００は、乾燥工程として、図９Ａに示すように、冷媒温度を可及的速やかに上昇させるための加温工程と、冷媒温度を所定の目標温度Ｔ０付近に保持するための恒温工程と、を順次実行するように構成されている。
【０１３１】
制御装置１００は、初めに、所定時間ｔ０にわたって（０≦ｔ＜ｔ０）、加温工程を実行する。
【０１３２】
加温工程においては、圧縮機５２から吐出された冷媒の全量Ｑｔをバイパス流量Ｑｂとする（Ｑｒ＝０％）ことによって、放熱流量Ｑｃは、最大限に低減されることになる。そのことで、この過温工程では、冷媒の昇温、ひいては通風路３を流れる空気の加熱を、可及的速やかに行うことができる。
【０１３３】
また、この加温工程においては、圧縮機５２の圧縮能力は、空気の加熱を可及的に速やかに行うべく、比較的高く設定されている。
【０１３４】
そして、制御装置１００は、乾燥工程を開始してから所定時間ｔ０が経過すると（ｔ≧ｔ０）、加温工程から恒温工程に移行する。
【０１３５】
制御装置１００は、この恒温工程において、図９Ａの囲み部Ｐを拡大した図９Ｂに示すように、冷媒温度が第１温度Ｔ１を超えたと判定したとき（ｔ＝ｔ１）に、バイパス流量ＱｂをΔＱだけ減少させて（Ｑｂ＝Ｑｔ−ΔＱ）、放熱流量ＱｃをゼロからΔＱだけ増大させる（Ｑｃ＝ΔＱ）。そうすることによって、補助熱交換器５５からの放熱が促進されて、冷媒温度の上昇が抑止される。さらに、制御装置１００は、放熱流量Ｑｃを増大させる制御を実行すると共に、冷媒温度が目標温度Ｔ０を下回るまで、冷却手段６に補助熱交換器５５を冷却させる。
【０１３６】
制御装置１００は、図９Ｂに示すように、冷媒温度が第１温度Ｔ１を超える度（ｔ＝ｔ２，ｔ３）に、その都度、放熱流量ＱｃをΔＱだけ増大させて且つ、冷却手段６を作動させるようになっている。
【０１３７】
ところで、一般に、乾燥工程が進行するにしたがって、冷媒温度は、徐々に上昇しやすくなっていく。そのため、放熱流量をΔＱだけ増大させて且つ、冷却手段６を作動させたにも拘わらず、冷媒温度が第１温度Ｔ１を下回るまで低下しない場合がある。
【０１３８】
そうした場合に対応すべく、制御装置１００は、冷媒温度が第１温度Ｔ１よりも高く設定された第２温度Ｔ２を超えてしまったと判定したとき（ｔ＝ｔ４）に、バイパス流量Ｑｂを、さらにΔＱだけ減少させて、放熱流量Ｑｃを、さらにΔＱだけ増大させる。
【０１３９】
一方で、制御装置１００は、補助熱交換器５５からの放熱量が過剰になってしまい、冷媒温度が目標温度Ｔ０よりも低く設定された第３温度Ｔ３を下回ったと判定したとき（ｔ＝ｔ５）には、放熱を抑止すべく、放熱流量ＱｃをΔＱだけ減少させて、バイパス流量ＱｂをΔＱだけ増大させる。
【０１４０】
制御装置１００は、図９Ｂに示すように、冷媒温度が第３温度を下回る度（ｔ＝ｔ６）に、その都度、放熱流量ＱｃをΔＱだけ減少させるようになっている。
【０１４１】
さらに、制御装置１００は、乾燥工程が進行するにつれて、徐々に、圧縮機５２の圧縮能力を低下させていくように構成されている。そうすることによって、乾燥工程の進行に伴う冷媒温度の上昇を、可及的に抑止するようになっている。この例では、恒温工程を前半部と後半部とに２分したときに、加温工程と、恒温工程の前半部とでは、圧縮能力を比較的高く設定する一方、恒温工程の後半部では、圧縮能力をそれよりも低く設定するようにしている。
【０１４２】
また、制御装置１００は、放熱流量Ｑｃを最大限に増大させて（Ｑｒ＝１００％）且つ、冷却手段６を作動させてもなお、冷媒温度が目標温度Ｔ０を下回らないときには、圧縮機５２の圧縮能力を低下させることによって、冷媒温度を低下させる。
【０１４３】
また、制御装置１００は、放熱流量Ｑｃを最小限に減少させて（Ｑｒ＝０％）且つ、冷却手段６の作動を停止させてもなお、冷媒温度が目標温度Ｔ０を上回らないときには、圧縮機５２の圧縮能力を上昇させることによって、冷媒温度を上昇させる。
【０１４４】
このように、この形態Ｃに係る制御装置１００は、冷却手段６の作動と、流量分配手段の制御と、圧縮機５２の制御と、を組み合わせて行うことによって、冷媒温度を目標温度Ｔ０付近に保持するように構成されている。
【０１４５】
以上説明したように、形態Ｃに係る衣類乾燥機Ｄは、冷媒分配手段の制御を介して、放熱流量Ｑｃを増減させるように構成されているから、補助熱交換器５５からの放熱量を適量にする上で、有利になる。
【０１４６】
また、形態Ｃに係る衣類乾燥機Ｄは、ヒートポンプ装置５が作動を開始するときに、圧縮機５２から吐出された冷媒の全量Ｑｔがバイパス流量Ｑｂになるように構成されているから、補助熱交換器５５からの放熱を抑止して、通風路３内を流れる空気を可及的速やかに昇温させる上で、有利になる。
【０１４７】
また、形態Ｃに係る衣類乾燥機Ｄは、冷媒温度が第１温度Ｔ１を超えたときには、放熱流量Ｑｃの増大と、冷却手段６の作動とを同時に行うように構成されているから、冷媒温度を低下させつつ、その上昇を抑止することができる。よって、冷媒の過熱及び過圧をより確実に防止する上で、有利になる。
【０１４８】
また、形態Ｃに係る衣類乾燥機Ｄは、冷媒温度が第２温度Ｔ２を超えたときには、放熱流量Ｑｃをさらに増大させるように構成されているから、補助熱交換器５５からの放熱量を適量にして、ひいては冷媒の過熱及び過圧をより確実に防止する上で、有利になる。
【０１４９】
また、形態Ｃに係る衣類乾燥機Ｄは、冷媒温度が第３温度Ｔ３を下回ったときには、放熱流量Ｑｃを減少させるように構成されているから、過度の放熱を防止する上で、有利になる。
【０１５０】
また、形態Ｃ係る衣類乾燥機Ｄは、乾燥工程が進行するにつれて、圧縮機５２の圧縮能力を低下させていくように構成されているから、流量分配手段の制御や、冷却手段の作動と組み合わせて用いることによって、補助熱交換器からの放熱量をきめ細かく制御して適量にする上で、有利になる。
【０１５１】
（実施形態１の形態Ｄ）
以下では、実施形態１の形態Ｄについて説明する。
【０１５２】
図６に示す実施形態１の形態Ｂの変形例では、補助熱交換器５５が凝縮器５３に対して並列に接続された場合にあって、流路切換手段８２を設けた構成を開示しており、この流路切換手段８２は、圧縮機５２から吐出された冷媒のうちの全量を凝縮器５３内に流すか、又は、当該吐出された冷媒のうちの所定量を補助熱交換器５５に流し且つ残量を凝縮器５３に流すかを、択一的に切換可能に構成されている。
【０１５３】
実施形態１の形態Ｄは、この流路切換手段８２を、圧縮機５２から吐出された冷媒のうち凝縮器５３を流れる凝縮器側流量Ｑｖと補助熱交換器５５を通過させる放熱流量Ｑｃとを調整可能な流量分配手段に置き換えることによって得られる。
【０１５４】
この形態Ｃでは、流量分配手段は、形態Ｄと同様に、ソレノイド弁として構成されており、制御装置１００からの制御信号に基づいて、凝縮器側流量Ｑｖに対する放熱流量Ｑｃの割合Ｑｒ（＝Ｑｃ／Ｑｖ）を、０〜１００％の範囲で変更することができる。
【０１５５】
この変形例に係る制御装置１００は、冷媒温度センサＳＷ１による検出結果に基づいて、冷却手段６と流量分配手段とを制御するように構成されている。
【０１５６】
そうした構成は、図６及び図８において、流路選択手段８１を流量分配手段に置換することによって得られる。
【０１５７】
この場合にあっては、凝縮器５３を流れる冷媒の流量は、割合Ｑｒの変更に応じて増減することになる。例えば、割合Ｑｒが増大するにつれて、凝縮器側流量Ｑｖ、ひいては凝縮器５３を流れる流量は、単調に減少する。
【０１５８】
実施形態１の形態Ｄに係る制御装置１００は、該実施形態１の形態Ｃに係る制御装置１００と同様の制御を実行可能に構成されている。
【０１５９】
よって、実施形態１の形態Ｄに係る衣類乾燥機Ｄは、同実施形態の形態Ｃに係る衣類乾燥機Ｄについて記載した作用効果と同様の作用効果を奏することになる。
【０１６０】
ここで、実施形態１の形態Ｃに係る衣類乾燥機Ｄと、形態Ｄに係る衣類乾燥機とで異なる作用効果としては、例えば、以下のものが上げられる。
【０１６１】
すなわち、形態Ｃにあっては、補助熱交換器５５内の放熱用流路５９を流れる冷媒量は、割合Ｑｒを介して調整可能な一方で、凝縮器５３内の流路５７，５８を流れる冷媒量は、割合Ｑｒの大小に拘わらず、一定に保持されるように構成されている。この構成によって、割合Ｑｒを調整したときに、凝縮器５３による空気の加熱に与える影響を抑止することができる。よって、放熱量の調整と、空気の加熱とを両立させる上で、有利になる。
【０１６２】
したがって、形態Ｃに係る衣類乾燥機Ｄは、圧縮機５２の圧縮性能、冷却手段６の冷却性能、及び、衣類乾燥機Ｄの目標性能（省エネ性を重視するか、或いは、乾燥時間の短縮を重視するか等）等に応じて、衣類Ｃの乾燥に支障を来すことなく、放熱量の調整を容易に行うことができるようになる。
【０１６３】
一方で、形態Ｄにあっては、凝縮器５３内の流路５７，５８の構造に拘らず、補助熱交換器５５を比較的容易に接続することができる。よって、フィンアンドチューブ型以外の熱交換器を凝縮器として使用する上で、有利になる。
【０１６４】
そうした熱交換器としては、例えば、マイクロスケールの流路を備えたマイクロチャネル型熱交換器や、冷媒配管を拡管させるなどしてフィンと密着させた後に、その配管に蛇行曲げを施したＳフィン方式の熱交換器等が挙げられる。形態Ｄに係る構成は、こうした比較的複雑な流路を有する熱交換器に適用するのが容易になるという点で、衣類乾燥機Ｄの生産性を向上させることができるようになる。こうした作用効果は、実施形態１の形態Ｂにおいても、同様に奏するものである。
【０１６５】
（実施形態１の形態Ｃ及びＤの変形例）
以下では、実施形態１の形態Ｃ及び同実施形態１の形態Ｄの変形例について説明する。
【０１６６】
実施形態１の形態Ｃにおいて、前記実施形態１の形態Ａの変形例と同様に、凝縮器５３を、互いに別体として構成された、２つ以上の熱交換器から構成してもよい。
【０１６７】
また、前記形態Ｃ及びＤでは、制御装置１００は、冷媒温度が第１温度Ｔ１を超えたと判定したときには、補助熱交換器５５を流れる放熱流量Ｑｃを増大させて且つ、冷却手段６に補助熱交換器５５を冷却させるように構成されていたが、この構成に代えて、冷却手段６を作動させずに、放熱流量Ｑｃを増大させる制御のみを実行するようにしてもよい。
【０１６８】
このように構成することによって、補助熱交換器５５からの放熱量を、よりきめ細かく調整することができるようになる。そのことで、補助熱交換器５５からの放熱量を適量にする上で、さらに有利になる。
【０１６９】
その場合、冷媒温度が第１温度Ｔ１とは異なる所定の第４温度（＞Ｔ０）を超えたと判定したときに、冷却手段６を作動させる、としてもよい。
【０１７０】
また、冷媒温度センサＳＷ１の検出結果と、割合Ｑｒの値、及び、乾燥工程の進行状況等との組み合わせに基づいて、冷却手段６を作動させる、としてもよい。
【０１７１】
また、バイパス流量Ｑｂ、放熱流量Ｑｃ又は凝縮器側流量Ｑｖを増減させるための所定量ΔＱについても、冷媒温度センサＳＷ１の検出結果、割合Ｑｒの値、及び、乾燥工程の進行状況等に基づいて、適宜変更することができる。
【０１７２】
また、冷媒温度が第１温度Ｔ１を超えたと判定したときに、割合Ｑｒが所定値（例えば１００％）未満の場合には、バイパス流量Ｑｂを増大させる余地が有るものとして、流量分配手段の制御のみを実行する一方、割合Ｑｒがこの所定値以上の場合には、バイパス流量Ｑｂを増大させる余地が無いものとして、冷却手段６の作動のみを実行する、としてもよい。
【０１７３】
このように構成することによって、冷却手段６の作動を可及的に抑止することができるから、冷却用ファン装置６１及び排気用ファン装置６２の駆動によって生じる駆動音を抑止したり、これらのファン装置６１，６２の作動に要する消費電力量を低減したり、することができる。
【０１７４】
これらの変形例を、可能な範囲において、互いに組み合わせて使用することもできる。
【０１７５】
また、圧縮機５２に係る制御についても、可能な範囲で変更することができる。
【０１７６】
（他の変形例）
以下では、実施形態１の形態Ａ〜Ｄに係る他の変形例について説明する。
【０１７７】
制御装置１００による制御方法については、前述した制御方法に限定されるものではなく、可能な範囲で変更することができる。
【０１７８】
また、前述の実施形態においては、ヒートポンプ装置５の冷媒配管５６に取り付けた冷媒温度センサＳＷ１からの検出信号に基づいて、冷却手段６を作動させるようにしたが、この冷媒温度センサＳＷ１に代えて、通風管４に、収容空間２１に流入する直前の空気温度を検出するための空気温度センサを取り付けてもよい。そうすることで、通風路３を流れる空気温度に基づいて、冷却手段６を作動させることができるようになる。また、冷媒温度センサＳＷ１と、空気温度センサとを併用することで、冷媒温度が上昇したときに、よりきめ細かい制御を行うことができるようになる。その場合、例えば、圧縮機５２の圧縮能力を変更する制御と、冷却手段６を作動させる制御とを、組み合わせて行ってもよい。実施形態１の形態Ａ〜Ｂにおいて、前記冷却開始温度、及び、前記冷却停止温度についても、衣類乾燥機Ｄの構成等に応じて、適宜変更することができる。
【０１７９】
また、前述の実施形態においては、冷却手段６が作動するときに、冷却用ファン装置６１と排気用ファン装置６２とを同時に作動させたが、この構成に限定されるわけではない。例えば、冷却用ファン装置６１、又は、排気用ファン装置６２のうちのいずれか一方を作動させてもよい。
【０１８０】
また、冷却手段６は、冷却用ファン装置６１と排気用ファン装置６２とを含むものに限定されるわけではない。例えば、冷却手段６として、排気用ファン装置６２のみを配設してもよい。前述の実施形態のように、排気用ファン装置６２を筐体１の後面側に設けることで、筐体１の前側からは排気口１３が見えなくなるため、意匠性を高めることができる。その上、筐体１前面側に設けた場合と比較して、排気用ファン装置６２の駆動音や、外気を吸い込むことで生じる風切音を低減することができる。
【０１８１】
また、冷却手段６としては、前記の構成に代えて、又は、前記の構成に加えて水冷式の冷却装置を含んで構成してもよい。
【０１８２】
乾燥対象物は、衣類Ｃに限定されるわけではない。具体的には、前述の実施形態に係る構成を、衣類乾燥機Ｄ以外の、例えば、食器乾燥機に適用してもよい。その場合、乾燥対象物は、衣類Ｃではなく食器となる。また、浴室乾燥機に適用することもできる。
【０１８３】
また、衣類Ｃの洗濯工程を実施可能な乾燥洗濯機に適用することもできる。
【０１８４】
＜実施形態２＞
次に、実施形態２について図面に基づいて説明する。この実施形態２は、原出願の請求項１６から請求項２１に記載の構成に係るものであり、図１０から図１８に示されている。
【０１８５】
−衣類乾燥機の構成−
実施形態２に係る乾燥機としての衣類乾燥機Ｄは、上下方向に沿って延びる縦長で略直方体状の外形を有する筐体１を備えている。図１０に示すように、筐体１は、互いに対向して配置された上下方向に延びる側面パネル１ｂ，１ｂと、両側面パネル１ｂ，１ｂの上端間を接続する上パネル１ａと、ベース部１ｄと、後パネル１ｃとを備えている。ベース部１ｄは、両側面パネル１ｂ，１ｂ下端同士を接続するとともに、両側面パネル１ｂ，１ｂの後下端から上側に向かって一体的に延びて両側面パネル１ｂ，１ｂの後下側同士を接続するように構成されている。後パネル１ｃは、筐体１後部の上側において、両側面パネル１ｂ，１ｂの後側と、上パネル１ａの後側と、ベース部１ｄの上側とを接続している。また、図１１に示すように、筐体１前面の上部には、正面前方から見て略円形状の衣類投入口２が開口しており、この衣類投入口２を、揺動可能な蓋部３により開閉するようになっている。また、後パネル１ｃ及びベース部１ｄには、後述する送風ダクト７が取り付けられている。
【０１８６】
図１１に示すように、筐体１内の上部には、前記衣類投入口２に連通しており、乾燥対象物としての衣類Ｃを収容するためのドラム４が回転可能に支持されている。そして、前記蓋部３が開いたときに、衣類投入口２を介して前記ドラム４内に衣類Ｃを収容できるようになっている。
【０１８７】
ドラム４は、前後水平方向に沿った回転軸心を有する有底円筒状のもので、その開口を前記衣類投入口２に向けた状態で、底部の中心部が後ろパネル１ｃの側壁部に対しシャフト３０を介して回転可能に支持されており、このドラム４が回転軸心まわりに回転するようになっている（図１３参照）。
【０１８８】
シャフト３０は、筐体１内に配設したドラム回転用モーター（図示せず）に連結されており、衣類乾燥機Ｄが作動するとき、このドラム回転用モーターの駆動によりドラム４を所定の速度で回転させるようになっている。なお、前記回転用モーターにより直接ベルト（図示しない）を介してドラム４を回転させてもよい。
【０１８９】
ドラム４には、衣類Ｃの乾燥に使用した乾燥用空気を排出するための空気排出口３１と、衣類Ｃの乾燥に使用する乾燥用空気が導入される空気導入口３２とが連通されている。空気排出口３１及び空気導入口３２には、乾燥用空気を循環させるための循環ダクト８が接続されており、循環ダクト８内の空間とドラム４とによって、循環通風路８ａが構成されている。
【０１９０】
循環ダクト８は、一端が空気排出口３１に連通する往路側ダクト５と、一端が空気導入口３２に連通する送風ダクト７と、往路側ダクト５及び送風ダクト７の他端同士を接続する加熱乾燥用ダクト６とによって構成されている。なお、ダクト５，６間にはリントフィルター２９が設けられており、衣類Ｃから生じたリントを捕集し、必要に応じて外部に取り出すことができるようになっている。
【０１９１】
より具体的には、往路側ダクト５は、筐体１内の前側を上下方向に沿って延びるように形成されていて、その上端部が空気排出口３１と気密状に接続されている。加熱乾燥用ダクト６は、筐体１内の底部側を前後方向に沿って延びており、その前側の端部が往路側ダクト５の下端部と気密状に接続されている。送風ダクト７は、筐体１の後パネル１ｃに沿って上下方向に延びるように形成されており、その下端部は後述するファンケーシング１０ｂを介して加熱乾燥用ダクト６の後端部と気密状に接続される一方、その上端部は後パネル１ｃと気密状に接続されている。図１３に示すように、前記空気導入口３２には、前後方向に貫通する多数の丸孔からなる丸孔部３２ａが設けられており、この丸孔部３２ａを介して乾燥用空気が送風ダクト７からドラム４内に流入する（矢印Ａ３参照）。後パネル１ｃと前記空気導入口３２の外周部とは、気密シール７５により回転自在にかつ気密状に接続されている。
【０１９２】
図１１に戻り、循環通風路８ａには、空気を冷却して除湿する冷却装置としての熱交換器からなる蒸発器９ａと、この冷却装置を通過した空気を加熱する加熱装置としての同様の凝縮器９ｂとが設けられている。蒸発器９ａは、循環通風路８ａの上流側（前側）に配設されており、その蒸発器９ａの下流側（後側）に所定の間隔を空けて凝縮器９ｂが配設されている。なお、衣類乾燥機Ｄは、筐体１内に図示しない圧縮機及び減圧装置を備えており、この圧縮機及び減圧装置が蒸発器９ａ及び凝縮器９ｂとそれぞれ配管で接続されてヒートポンプサイクルを構成している。
【０１９３】
加熱乾燥用ダクト６の下側には、蒸発器９ａで発生した凝縮水Ｗを回収して貯留するための受け皿部１１が設けられている。受け皿部１１は上側に向かって開口しており、この受け皿部１１の開口は、カバーベース６ａによって閉じられ、これにより加熱乾燥用ダクト６と受け皿部１１との間が区画されている。
【０１９４】
カバーベース６ａには、蒸発器９ａの直下側において、上下方向に貫通する連通路としてのドレン孔６ｂが形成されており、蒸発器９ａで循環通風路８ａ内の乾燥用空気を除湿したときに生じる凝縮水Ｗが、このドレン孔６ｂを介して受け皿部１１に排出されるようになっている。ここで、カバーベース６ａは、蒸発器９ａの下側において、ドレン孔６ｂに近づくに従って下方に向かうように傾斜しており、ドレン孔６ｂの周辺に落下した凝縮水Ｗをドレン孔６ｂに導くようになっている。
【０１９５】
受け皿部１１は、ドレン孔６ｂを介して凝縮水Ｗを回収する。ここで、受け皿部１１の底面１１ａは、後方に向かうに従って下方に向かうように傾斜しており、回収された凝縮水Ｗが後方に向けて流れるようになっている。そして、受け皿部１１の後端には、連通水路１４が一体的に接続されており、この連通水路１４の後端側には、該連通水路１４から流れてきた凝縮水Ｗを収容するポンプ室１６が一体的に接続されている。
【０１９６】
ポンプ室１６内には、凝縮水を送り出すポンプ１９と、ポンプ室１６内の水位を検知する水位センサ２１とが配設されている。ポンプ１９の排出口には、汲上ホース２０が接続され、この汲上ホース２０の他端は、別体の貯水タンク２５に接続されており、ポンプ室１６から汲み上げた凝縮水Ｗを貯水タンク２５に送り込むようになっている。
【０１９７】
貯水タンク２５は、受け皿状の貯水タンク用受け皿部２６内に設置されており、貯水タンク２５から溢れ出た凝縮水Ｗを、この貯水タンク用受け皿部２６に収容するようになっている。貯水タンク用受け皿部２６の底部には、水漏防止ホース２４の一端が接続されている。水漏防止ホース２４の他端は、ポンプ室１６に接続されており、貯水タンク２５から溢れ出た凝縮水Ｗが水漏防止ホース２４を介してポンプ室１６に戻るようになっている。
【０１９８】
（ファン装置の構成）
加熱乾燥用ダクト６と送風ダクト７との接続部（筐体１内の底部側の後端部分）には、ファン装置１０が設けられている。具体的には、図１１，図１２に示すように、ファン装置１０は、ファンケーシング１０ｂと、このファンケーシング１０ｂ内に回転可能に支持され、側面部に複数個の羽根を有する円筒状の羽根車１０ａとを備えている。ファン装置１０には、例えば、多翼ファン（シロッコファン）を備えた遠心式のファン装置を適用することができる。
【０１９９】
図１６に示すように、ファンケーシング１０ｂは、羽根車１０ａの外側を覆うように構成されベースカバー部１０ｃと、ベースカバー部１０ｃと連続一体的に設けられ、該ベースカバー部１０ｃの左側から上側に向かって延びるように構成された接続カバー部１０ｄとを備えている。ベースカバー部１０ｃ及び接続カバー部１０ｄの後面は開口しており、ファンケーシング１０ｂは、後述する送風ダクト７の外カバー７１と組み付けられる。さらに、ファンケーシング１０ｂと後パネル１ｃとは、気密シール１３により気密状に接続され、接続カバー部１０ｄとベース部１ｄとは、図示しない気密シールによって気密状に接続されている。前記取り付けがされた状態における外カバー７１とベースカバー部１０ｃとによって羽根車１０ａの周囲を囲んでおり、かつ、該外カバー７１と接続カバー部１０ｄとによって、羽根車１０ａの回転軸に対して垂直な方向に向けて開口する吹出口１０ｆが形成されている。
【０２００】
ベースカバー部１０ｃの前面には、羽根車１０ａの回転軸に対して平行な方向に向けて開口する円形状の吸気口１０ｅが形成されており、該吸気口１０ｅは、加熱乾燥用ダクト６の後端部に気密状に接続されている。
【０２０１】
これにより、加熱乾燥用ダクト６から吸気口１０ｅを介してファン装置１０に吸入された乾燥用空気は、羽根車１０ａの回転によって、該羽根車１０ａの回転軸に対して垂直な方向にある吹出口１０ｆを介して送風ダクト７に送り出されるようになっている（図１１及び図１２の矢印Ａ３参照）。
【０２０２】
（送風ダクトの構成）
以下、送風ダクト７の構成について詳細に説明する。
【０２０３】
図１０及び図１７に示すように、後パネル１ｃには前側に向かって凹む凹部７２が形成されており、送風ダクト７は、前記凹部７２と、後パネル１ｃの外側において後パネル１ｃに沿うように上下方向に延びている外カバー７１とによって構成されている。
【０２０４】
より具体的には、図１７に示すように、後パネル１ｃの凹部７２は、下端部がファンケーシング１０ｂの吹出口１０ｆと連結できるように形成されており、その下端部から後パネル１ｃに沿うように上側に向かって凹んでおり、ファンケーシング１０ｂの吹出口１０ｆから送り出された乾燥用空気がドラム４の空気導入口３２に向かうようになっている。
【０２０５】
また、後パネル１ｃの凹部７２には、図１２に示すように、該凹部７２と空気導入口３２との接続部分において、該空気導入口３２の形状に応じて形成された通風口７２ｂが形成されている。通風口７２ｂは、丸孔部３２ａの上側（下流側）の縁部に沿う形状に開口する上通風口７２ｂ１と、丸孔部３２ａの右外側の縁部に沿う形状に開口する右通風口７２ｂ２と、丸孔部３２ａの左外側の縁部に沿う形状に開口する左通風口７２ｂ３とを含む。なお、通風口７２ｂの形状は、図１２の形状に限定されない、例えば、通風口７２ｂが４つ以上の開口を有するようになっていてもよい。
【０２０６】
図１４に示すように、外カバー７１は、後側に向かって凹んでおり、前側が開口する箱状の外カバー本体７１ａと、該外カバー７１を後パネル１ｃ及びベース部１ｄに取り付けるための接続プレート部７１ｈとを備えている。接続プレート部７１ｈは、該外カバー本体７１ａの外周端から後パネル１ｃ及びベース部１ｄに沿う外側方向に向かって連続一体的に延びており、前後方向に貫通する複数の取付孔７１ｇがその周方向全体にわたって所定の間隔をあけて形成されている。また、接続プレート部７１ｈには、取付孔７１ｇの内側において、周方向の全体にわたって該周方向に沿う溝部７１ｉが形成されており、溝部７１ｉには、外カバー７１と後パネル１ｃやベース部１ｄとの間を気密状態にするシール部７１ｊが嵌め込まれている（図１５参照）。
【０２０７】
外カバー本体７１ａには、ファン装置１０から送風ダクト７に送り込まれた乾燥用空気を後パネル１ｃの凹部７２に形成された通風口７２ｂに誘導するように構成されたエアガイド７３が一体的に設けられている。例えば、外カバー７１は樹脂成型品であり、前記エアガイド７３は、外カバー７１と一体成形により形成される。
【０２０８】
（エアガイドの構成）
以下、エアガイド７３の構成について詳細に説明する。以下の「エアガイドの構成」の説明では、外カバー７１と後パネル１ｃとが接続されている状態であるものとして説明する。
【０２０９】
図１４に示すように、エアガイド７３は、外カバー本体７１ａから前側に向かって突出するように、該外カバー本体７１ａに一体的に設けられた案内部７３ａ及び誘導部７３ｂ，７３ｃを備えている。
【０２１０】
案内部７３ａは、後パネル１ｃの凹部７２に形成された通風口７２ｂの上側（下流側）の縁部、すなわち、通風口７２ｂの上通風口７２ｂ１の上側の縁部に沿う形状に該外カバー本体７１ａに連続一体的に形成されている。具体的には、図１３及び図１５Ａに示すように、案内部７３ａは、後方向（上通風口７２ｂ１の上側の縁部から離れる方向）に向かって、下方向（上流側方向）に向かうように傾斜する傾斜面７３ｅを有する。傾斜面７３ｅは、後方かつ上方（循環通風路８ａから離れる方向）に凹んだ円弧状の曲面になっている。なお、傾斜面７３ｅは、円弧状の曲面に限定されず、例えば、後方向に向かって下方向に向かうように傾斜する平面であってもかまわない。
【０２１１】
図１４及び図１５Ｂに示すように、誘導部７３ｂ，７３ｃは、それぞれ、外カバー本体７１ａの表面から前側に向かって延び、かつ、案内部７３ａの両端部からそれぞれファンケーシング１０ｂの吹出口１０ｆとの接続部分まで連続して延びるように案内部７３ａと連続一体的に形成されている。また、それぞれの誘導部７３ｂ，７３ｃと、外カバー本体７１ａの上下左右方向の側壁との間には、空間７４（空気層）が設けられている。このような空間７４を設けることにより、送風ダクト７内で発生した騒音が送風ダクト７の上下左右方向の側壁を介して外側に漏えいすることを防止することができる。また、乾燥用空気が外カバー本体７１ａの上下左右方向の側壁と直接接触しないため、乾燥用空気の熱が外壁を介して大気に接触せず、断熱効果も得ることができる。なお、図示しないが、外カバー本体７１ａの背面（後端面）には、その全面にわたって断熱・防音材が貼り付けられている。
【０２１２】
さらに、図１８に示すように、誘導部７３ｂ，７３ｃの下端部及びファンケーシング１０ｂの接続カバー部１０ｄの上端部１０ｇは、前記外カバー７１とファンケーシング１０ｂとが接続された状態において、それぞれの端部における内側の面（通風路側の面）が面一になるように構成されている。具体的には、前記接続カバー部１０ｄの上端部１０ｇが誘導部７３ｂ，７３ｃの厚さ分（マージンを含む）だけ外側に向かって凹むように構成されており、誘導部７３ｂ，７３ｃの下端部が、それぞれ前記接続カバー部１０ｄの凹んだ部分に嵌められて接続されるようになっている。
【０２１３】
エアガイド７３をこのような構成とすることにより、ファン装置１０から送風ダクト７に送り込まれた乾燥用空気（図１３の矢印Ａ３参照）は、エアガイド７３の誘導部７３ｂ，７３ｃによって空気導入口３２側に向かうように誘導され、その後、案内部７３ａの傾斜面７３ｅに沿うように流れて後パネル１ｃの凹部７２に形成された通風口７２ｂ及び空気導入口３２の丸孔部３２ａに誘導される。これにより、送風ダクト１２内で乾燥用空気の旋回流が発生することを抑制し、効率よくドラム内に乾燥用空気を送り込むことができる。すなわち、送風ダクト７内の通風路（循環通風路８ａ）における圧力損失を低減させることができる。
【０２１４】
さらに、外カバー７１とファンケーシング１０ｂとが接続されたときに、誘導部７３ｂ，７３ｃの下端部の内側（循環通風路８ａ側）の面と、ファンケーシング１０ｂの接続カバー部１０ｄの上端部１０ｇの内側（循環通風路８ａ側）の面とが面一となるように構成されているため、接続カバー部１０ｄと前記誘導部７３ｂ，７３ｃとの接続部分での空気の流れがスムーズになり、騒音の発生が抑制されるとともに、圧力損失を低減させることができる。
【０２１５】
よって、衣類乾燥機Ｄは、乾燥時間の短縮と騒音の低減及び省エネルギーとを低コストで両立させることができるという点で、従来構成よりも、その性能を向上させることができる。
【０２１６】
−衣類乾燥機の動作−
次に、本実施形態２に係る衣類乾燥機Ｄの運転動作について説明する。
【０２１７】
まず、衣類乾燥機Ｄが運転を開始すると、前記ドラム回転用モーター、ファン装置１０及び前記ヒートポンプシステムが作動する。このファン装置１０の作動によって、循環通風路８ａ内のファン装置１０の上流側（ファン装置１０と凝縮器９ｂとの間）が負圧となる一方で、ファン装置１０下流側（ファン装置１０と空気導入口３２との間）が正圧となり圧力差が生じる。例えば、前記のファン装置１０の上流側の気圧は、大気圧よりも３００Ｐａ以上低くなる場合がある。この差圧に従って、ドラム４内の空気が循環通風路８ａ内を循環する。
【０２１８】
具体的には、図１１の矢印Ａ１及びＡ２に示すように、ドラム４内の乾燥用空気は、空気排出口３１を通じて往路側ダクト５内に流入し、筐体１内の前側を下方に向けて流れた後に加熱乾燥用ダクト６内に流入する。
【０２１９】
そして、図１１の矢印Ａ２に示すように、加熱乾燥用ダクト６内に流入した空気は、この加熱乾燥用ダクト６に沿って筐体１内の下側を後方に向かって流れる。加熱乾燥用ダクト６内には、その下流側に向かってヒートポンプシステムの蒸発器９ａと凝縮器９ｂとが順次配設されているため、乾燥用空気は、加熱乾燥用ダクト６の通過に伴い、まず、蒸発器９ａで冷却除湿された後、凝縮器９ｂで加熱されて、衣類Ｃの乾燥に適した状態に調整される。
【０２２０】
加熱乾燥用ダクト６及び送風ダクト７には、それぞれファン装置１０の吸気口１０ｅ及び吹出口１０ｆが面しているため、図１１の矢印Ａ２及びＡ３に示すように、加熱乾燥用ダクト６を通過した乾燥用空気は、ファン装置１０内を経由してそれから送出された後に送風ダクト７に流入する。さらに、図１１の矢印Ａ３に示すように、送風ダクト７に流入した乾燥用空気は、この送風ダクト７に沿って筐体１内の後側を上方に向けて流れた後に、空気導入口３２を通じてドラム４内に流入する。送風ダクト７内における空気の流れは、前記「エアガイドの構成」において説明したとおりであり、ここではその詳細な説明を省略する。
【０２２１】
前記のような循環工程を繰り返すことによって、前記乾燥用空気は、衣類乾燥機Ｄが運転している間、所定の湿度及び温度に保持され、このことでドラム４内の衣類Ｃが乾燥させられる。
【０２２２】
＜実施形態３＞
最後に、実施形態３について図面に基づいて説明する。この実施形態３は、原出願の請求項２２から請求項３０に記載の構成に係るものであり、図１９から図３７に示されている。
【０２２３】
（実施形態３の形態Ａ）
図１９〜２２は、実施形態３の形態Ａに係る乾燥機１を示す。この乾燥機１は、前板３ａ、後板３ｂ、天板３ｃ、底板３ｄ及び一対の側板３ｅ，３ｆで上下方向に長い略直方体状に形成された筐体３を備えている。後板３ｂ、及び側板３ｅ，３ｆは、それぞれ別々に形成されて後から断面コ字状をなすように互いに組み付けられてもよいし、最初から３者が断面コ字状に一体に形成されてもよい。尚、以下の説明では、説明の便宜上、後板３ｂ側から前板３ａ側に向かって右側を「右」、左側を「左」と言い、前記側板３ｅ，３ｆのうち右側を３ｅ、左側を３ｆとする。前記前板３ａには、衣類や毛布等の乾燥対象物を出し入れする投入口５が開口形成され、この投入口５は、ドア７で開閉可能になっている。前記前板３ａの投入口５の上方には、操作・表示部６が設けられている。前記筐体３内には、底面部９ａと側面部９ｂとで略有底円筒状に形成されたドラム９が回転自在に支持された状態で前記投入口５側に開口するように収容されている。前記ドラム９の底面部９ａには給気用の図示しない給気口が形成され、ドラム９の開口側には、排気口１１が設けられている。また、筐体３の底板３ｄには、ドラム９より前方で図２４及び図２５に示す補強板４が板面を前後方向に向けて上方に立設され、該補強板４の略中央部上端近傍には、締結孔４ａが貫通形成されている。また、前記後板３ｂの上端には、前方に向けて板状突出壁部３ｇが一体に突設され、該突出壁部３ｇの略中央部には、係合孔３ｈが貫通形成されている。また、図２３に示すように、突出壁部３ｇの左寄りには、複数の係止片部３ｉが突設されている。さらに、図２７にも示すように、前記側板３ｅ，３ｆの上端部にも、突出部３ｊが前後方向全体に亘って内側に突設され、該突出部３ｊの上面（側板３ｅ，３ｆの端面）には、複数の係止部３ｋと図示しないネジ孔が形成されている。
【０２２４】
ドラム９の外側には、一端が前記ドラム９の底面部９ａの給気口に連通し、他端が前記ドラム９の排気口１１にリントフィルタ１２を介して連通する送風ダクト１３がドラム９の下側を通過するように配設されている。このリントフィルタ１２により乾燥運転中に衣類やシーツ等の乾燥対象物から出たリントが捕獲され、これにより、リントの乾燥対象物への付着が防止される。ドラム９下側には、図２１及び図２２に示すように、送風ダクト１３内の空気をドラム９の給気口に向かって送風する送風装置１５と、冷媒を圧縮する圧縮機１６、圧縮機１６で圧縮された冷媒の熱を放出して送風ダクト１３内の空気を加熱する加熱装置としての凝縮器１７と、凝縮器１７により加熱された空気を冷却し、かつ除湿することにより、当該空気に含まれる水分を除去する蒸発器１９と、ドラムベルト３０ａを介してドラム９を回転駆動するモータ３０とが設けられている。前記蒸発器１９の下方には、凝縮器１７により加熱された空気から蒸発器１９によって水分を除去する過程で発生した凝縮水を溜める凝縮水受け２１が設けられている。
【０２２５】
前記ドラム９と筐体３の天板３ｃとの間の空間Ｓ１におけるドラム９の右側の側板３ｅ側隅部には、貯水タンクケース２３が配設され、該貯水タンクケース２３には、貯水タンク２５が着脱自在に取り付けられている。貯水タンク２５は、移送管２７を介して前記凝縮水受け２１に接続され、該移送管２７の下端近傍には、ポンプ２９が介設されている。凝縮水受け２１に溜まった凝縮水が所定量に達すると、前記ポンプ２９の駆動により、凝縮水受け２１内の凝縮水が移送管２７を介して貯水タンク２５に移送される。貯水タンク２５は貯水タンクケース２３に着脱自在に取り付けられているので、貯水タンク２５が満水になったときに、ユーザーが貯水タンク２５を貯水タンクケース２３から取り外して貯水タンク２５内の水を捨てることができる。
【０２２６】
前記筐体３の補強板４及び後板３ｂの略中央部上端近傍は、図２３〜２５にも示すように、前後方向に延びる長尺状の補強部材３１により橋絡されている。なお、図２０においては、補強部材３１の形状の図示を簡略化している。補強部材３１は、例えば、亜鉛めっき鋼板（ＳＧＣＣ）や鉄板等の板金で構成できる。補強部材３１の長手方向両端部を除く部分は、前後方向に延びる長板状の主面部３１ａと、該主面部３１ａの左右両側から互いに対向するように下方に突出する側面部３１ｂとで断面コ字状に形成されている。主面部３１ａには、図２５に示すように、長手方向（車体前後方向）に間隔をあけて３つのネジ挿通孔３１ｃが形成されている。補強部材３１の長手方向両端部は主面部３１ａだけで構成され、主面部３１ａの長手方向前端部は下方に略直角に突出する当接部３１ｄを構成する一方、主面部３１ａの長手方向後端部は、略Ｌ字状に突出する係合部３１ｅを構成している。前記当接部３１ｄには、締結孔３１ｆが貫通形成されている。前記当接部３１ｄを前記補強板４に当接させた状態で該当接部３１ｄの締結孔３１ｆと補強板４の締結孔４ａとにネジ３４を挿通することで、補強部材３１の当接部３１ｄと補強板４とを締結するとともに、前記係合部３１ｅを後板３ｂの突出壁部３ｇの係合孔３ｈに係合させることで、補強部材３１が補強板４及び後板３ｂに固定されている。
【０２２７】
前記ドラム９と天板３ｃとの間の空間Ｓ１における左側（一方）の側板３ｆ側隅部には、図２６，２８〜３１にも示すように、前記送風装置１５、圧縮機１６、及びモータ３０を制御する制御回路ユニット３２が配設されている。制御回路ユニット３２は、略矩形板状の傾斜面部３３ａを有する支持部材３３を備え、この支持部材３３は、前記ドラム９と天板３ｃとの間の空間Ｓ１における左側（一方）の側板３ｆ側隅部に位置し、かつ前記傾斜面部３３ａを前記左側の側板３ｆ側（左側）に向かって下方に傾斜させた状態で前記筐体３及び補強部材３１に固定されている。この支持部材３３は、樹脂や亜鉛めっき鋼板（ＳＧＣＣ）等の板金で構成でき、板金で構成した場合に特に高い強度及び耐熱性が得られる。前記傾斜面部３３ａの右側（内側）端縁には、略矩形板状の締結面部３３ｂが略水平に右側に向けて一体に延設されている。この締結面部３３ｂには、３つのネジ挿通孔３３ｃが前記補強部材３１のネジ挿通孔３１ｃと対応する箇所に形成され、これらネジ挿通孔３３ｃを前記補強部材３１のネジ挿通孔３１ｃに対応させて両者にネジ３５を挿通して締結することで、支持部材３３の締結面部３３ｂが補強部材３１に固定されている。前記傾斜面部３３ａの左側（外側）端縁には、第１縦面部３３ｄが略上方に向けて延設され、該第１縦面部３３ｄには、図２７に示すように、前記左側の側板３ｆに接近するように凹状に屈曲する屈曲凹部３３ｅが形成され、該屈曲凹部３３ｅは、前記側板３ｆの突出部３ｊの下側空間Ｓ２に位置している。前記第１縦面部３３ｄの先端縁には、板状の係止面部３３ｆが左側に向けて略水平に一体に延設され、該係止面部３３ｆには、複数の被係止部３３ｇ及びネジ孔３３ｈが前記側板３ｆの突出部３ｊの係止部３ｋ及びネジ孔に対応するように形成されている。これら被係止部３３ｇを前記側板３ｆの係止部３ｋで係止するとともに、係止面部３３ｆのネジ孔３３ｈ、及び前記側板３ｆのネジ孔にネジ３７を挿通して締結することで、支持部材３３の係止面部３３ｆが筐体３の側板３ｆに固定されている。また、前記支持部材３３の傾斜面部３３ａの後端縁にも、上方に立ち上がる第２縦面部３３ｉが突設され、該第２縦面部３３ｉの先端縁には、板状の取付面部３３ｊが後方に向けて略水平に一体に延設されている。この取付面部３３ｊには、複数の係止孔３３ｋが前記後板３ｂの係止片部３ｉに対応するように形成され、これら係止孔３３ｋに前記後板３ｂの係止片部３ｉを挿通係止させることで、支持部材３３の取付面部３３ｊが筐体３の後板３ｂに固定されている。また、図２８に示すように、支持部材３３には、複数の膨出部３３ｍが形成されている。これにより、支持部材３３の強度が高められ、その変形が防止されている。なお、図２６、図２７、及び図３１では、膨出部３３ｍ等の詳細な図示を省略している。また、図３２にも示すように、支持部材３３の傾斜面部３３ａの右側端縁近傍には、２つの締結孔３３ｎが前後方向に間隔を空けて形成されている一方、傾斜面部３３ａの左側端縁近傍には、２つの矩形状の係止孔３３ｐが前後方向に間隔を空けて形成されている。
【０２２８】
前記支持部材３３の傾斜面部３３ａの反ドラム９側の面には、図２９にも示すように、長方形板状の底壁部３９ａと、該底壁部３９ａの全周縁から突出する環状の周壁部３９ｂとで略浅皿状に形成されたケース本体３９を有する樹脂製の回路ケース３８が、前記ケース本体３９の開放側を反傾斜面部３３ａ側に向け、かつケース本体３９の長手方向を前後方向に向けた状態で取り付けられている。前記周壁部３９ｂの前側及び後側の面には、断面略Ｌ字状で左側に向けて下方に傾斜するように延びるガイド部３９ｃが、その内側に周壁部３９ｂの反突出方向に凹む凹溝３９ｄが形成されるように一体に突設されている。したがって、凹溝３９ｄも左側に向けて下方に傾斜するように延びている。また、周壁部３９ｂの左側（外側）端部には、係合部３９ｅが前後に突設されている。さらに、周壁部３９ｂの右側の面の前後両端近傍には、図３１Ａ及び図３１Ｂに示すように、ネジ挿通孔４０ａを有する外側締結部４０が一体に突設されている。また、これら外側締結部４０よりも若干前後方向内側の周壁部３９ｂには、ネジ挿通孔４２ａを有する内側締結部４２が一体に突設されている。さらに、ケース本体３９の底壁部３９ａの左側端部には、左側に張り出す２つの係止爪部４６が前後方向に間隔を空けて形成されている。前記係止爪部４６を前記支持部材３３の係止孔３３ｐに挿通して係止した状態で、前記内側締結部４２のネジ挿通孔４２ａ及び前記支持部材３３の締結孔３３ｎにネジ４４を挿通して締結することで、回路ケース３８が支持部材３３に取り付けられている。なお、図２９及び図３０では、外側締結部４０及び内側締結部４２の図示を省略している。
【０２２９】
前記回路ケース３８には、前記送風装置１５、圧縮機１６、ポンプ２９、及びモータ３０を制御する制御基板４１が収容されている。制御基板４１は、温度検知結果等に基づいて所望の乾燥状態にするために各部の負荷を制御する。前記制御基板４１を前記回路ケース３８の底壁部３９ａの爪部に係合させた状態で溶融状態のウレタン樹脂を回路ケース３８に流し込んで固化させることにより、回路ケース３８に制御基板４１が固定されている。この状態で、制御基板４１は、回路ケース３８の周壁部３９ｂに囲まれている。
【０２３０】
前記回路ケース３８には、前記制御基板４１を反傾斜面部３３ａ側から覆う樹脂製のカバー部材４３が前記制御基板４１との間に間隔をあけて固定されている。カバー部材４３は、反底壁部３９ａ側に凹んだ形状をなし、カバー部材４３の左側端部は、前記側板３ｆの突出部３ｊの下側空間Ｓ２に位置している。このカバー部材４３は、前記制御基板４１を反底壁部３９ａ側から覆う上壁部４３ａと、前記制御基板４１を前側及び後側から覆うように前記上壁部４３ａの前端縁及び後端縁から下方に突出する前側側壁部４３ｂ及び後側側壁部４３ｃと、前記制御基板４１を右側（内側）から覆うように前記上壁部４３ａの右側（内側）端縁から下方に突出する内側側壁部４３ｄとを備えている。前記上壁部４３ａは、前記天板３ｃとの間に微少な間隔を空けて略水平に延びる水平壁部４３ｅと、該水平壁部４３ｅの左側（外側）端縁から前記底壁部３９ａと略平行に左側に向けて下方に傾斜して延びる傾斜壁部４３ｆとを備えている。前記前側側壁部４３ｂ及び後側側壁部４３ｃの下端には、板状の係合片部４３ｈが一体に下方に突設され、当該係合片部４３ｈは、前記回路ケース３８の凹溝３９ｄに係合している。前記上壁部４３ａには、左側に開放する開放部４３ｇが、前記係合片部４３ｈを前記回路ケース３８の凹溝３９ｄに係合させた状態で前記カバー部材４３を前記凹溝３９ｄに沿ってスライドさせて前記突出部３ｊの下側空間Ｓ２に出入りさせる過程で前記制御基板４１が通過するように形成されている。また、前記前側側壁部４３ｂ及び後側側壁部４３ｃの外側（左側）端縁には、内側（右側）に凹む略矩形状の係合凹部４３ｉが形成され、該係合凹部４３ｉには、前記回路ケース３８の係合部３９ｅが係合してカバー部材４３の反支持部材３３側への移動及び左側への移動を規制している。また、前記前側側壁部４３ｂ及び後側側壁部４３ｃの内側（右側）端部近傍には、配線を通すための挿通口４３ｊが形成されている。なお、図３０の左図及び右図では、挿通口４３ｊの図示を省略している。
【０２３１】
前記内側側壁部４３ｄには、ネジ挿通孔４５ａを有する締結部４５が内側（右側）に突設され、この締結部４５と前記回路ケース３８の外側締結部４０とを対応させて両者のネジ挿通孔４０ａ，４５ａにネジ４７を挿通して締結することで、カバー部材４３が回路ケース３８に固定されている。また、締結部４５の内側側壁部４３ｄには、上方に凹陥する略コ字状の切欠部４８が前記回路ケース３８の内側締結部４２に対応するように形成されている。なお、図２６及び図３０では、締結部４５の図示を省略している。
【０２３２】
前記のように構成された制御回路ユニット３２を筐体３に取り付けるには、まず、支持部材３３の係止面部３３ｆの被係止部３３ｇを左側の側板３ｆの係止部３ｋで係止し、支持部材３３の係止面部３３ｆと前記側板３ｆの突出部３ｊとをネジ３７で締結し、かつ支持部材３３の締結面部３３ｂと補強部材３１とをネジ３５で締結する。この際、前記送風装置１５、圧縮機１６、ポンプ２９及びモータ３０と制御基板４１とを接続する配線の制御基板４１側の端部を、支持部材３３と前板３ａとの隙間から支持部材３３上に引き出しておく。その後、制御基板４１が固定された回路ケース３８の係止爪部４６を前記支持部材３３の係止孔３３ｐに挿通して係止した状態で、前記回路ケース３８の内側締結部４２のネジ挿通孔４２ａ及び前記支持部材３３の締結孔３３ｎにネジ４４を挿通して締結することで、回路ケース３８を支持部材３３の傾斜面部３３ａに取り付け、支持部材３３と前板３ａとの隙間から支持部材３３上に引き出された配線の端部、及び前記操作・表示部６と制御基板４１とを接続する配線の端部を制御基板４１に接続する。このとき、支持部材３３で回路ケース３８が下方から支持されているので、結線作業により回路ケース３８に反支持部材３３側から力がかかっても、支持部材３３が変形することなく、回路ケース３８及び制御基板４１が破損しにくい。そして、カバー部材４３の挿通口４３ｊ対応箇所に配線を配置し、図３０の左図に示すように、前記カバー部材４３の内側側壁部４３ｄ側端部を回路ケース３８から離間させ、かつ前記カバー部材４３の係合片部４３ｈの係合凹部４３ｉ側端部を回路ケース３８の凹溝３９ｄに係合させた状態から、カバー部材４３を外側に滑らせながら前記カバー部材４３の内側側壁部４３ｄ側端部を回路ケース３８に接近させる。このとき、カバー部材４３が外側にスライドする過程で、制御基板４１はカバー部材４３の開放部４３ｇを通過してカバー部材４３に干渉しない。これにより、図３０の右図に示すように、カバー部材４３の挿通口４３ｊに配線が挿通し、カバー部材４３の係合片部４３ｈが回路ケース３８の凹溝３９ｄに係合し、かつカバー部材４３の係合凹部４３ｉに回路ケース３８の係合部３９ｅが係合する。この状態で、カバー部材４３の締結部４５と回路ケース３８の外側締結部４０とをネジ４７で締結することで、カバー部材４３を回路ケース３８に固定する。このように、突出部３ｊの下側空間Ｓ２では、カバー部材４３の左側端部を回路ケース３８に締結する作業を行わなくても、回路ケース３８の係合部３９ｅでカバー部材４３の反支持部材３３側への移動及び左側への移動が規制される。したがって、カバー部材４３の回路ケース３８への固定作業が容易になり、カバー部材４３の左側端部を締結するためにネジ等の締結部品を使用しない分だけ部品点数を削減できる。
【０２３３】
上述のように固定されたカバー部材４３は、ネジ４７を外し、カバー部材４３の係合片部４３ｈを回路ケース３８の凹溝３９ｄに係合させた状態でカバー部材４３を右側に案内することで突出部３ｊの下側空間Ｓ２から出し、回路ケース３８から取り外すことができる。
【０２３４】
したがって、実施形態３の形態Ａでは、支持部材３３で回路ケース３８が下方から支持されているので、上方からの結線等の組立作業時及び保守点検作業時や輸送時に回路ケース３８に反支持部材３３側から力がかかっても、回路ケース３８及びその内部の制御基板４１が破損しにくい。したがって、組立作業及び保守点検作業や輸送が容易になる。また、回路ケース３８とドラム９との間に支持部材３３が介在しているので、回転するドラム９の接触による回路ケース３８及びその内部の制御基板４１の破損が防止される。
【０２３５】
よって、乾燥機１は、回路ケース３８及びその内部の制御基板４１が破損しにくいという点で、従来構成よりも、その信頼性を向上させることができる。
【０２３６】
また、支持部材３３を一方の側板３ｆ側隅部に配置するので、ドラム９と天板３ｃとの間の空間が狭くなっている両側板３ｅ，３ｆ間の中央部に配置する場合に比べ、支持部材３３を下方に配置できる。したがって、傾斜面部３３ａの反ドラム９側に設けられる制御基板４１の寸法を高くすることが可能になり、制御基板４１の寸法及びレイアウトの自由度が高められる。場合によっては、制御基板４１が大型化しても、制御回路を分割して回路ケース３８の外に設ける必要がなくなり、配線を簡素化するとともに雑音等の影響を低減できる。
【０２３７】
よって、乾燥機１は、制御基板４１の寸法及びレイアウトの自由度が高められるという点で、従来構成よりも、その生産性を向上させることができる。
【０２３８】
また、支持部材３３の傾斜面部３３ａを前記一方の側板３ｆ側に向かって下方に傾斜させているので、水平にした場合に比べ、前記一方の側板３ｆ近傍で傾斜面部３３ａを下方に配置できる。したがって、特に、傾斜面部３３ａの前記一方の側板３ｆ近傍で、該傾斜面部３３ａの反ドラム９側に設けられる制御基板４１の寸法を高くすることが可能になり、制御基板４１の寸法及びレイアウトの自由度が高められる。
【０２３９】
また、配線の制御基板４１側端部近傍が支持部材３３上に引き出されるので、配線の制御基板４１側端部近傍の回転するドラム９との接触による破損が防止される。
【０２４０】
また、支持部材３３が筐体３の側板３ｆ及び後板３ｂと補強部材３１とで三方から支持されているので、振動等による支持部材３３の落下がより確実に防止される。また、側板３ｆ、後板３ｂ及び補強部材３１との固定箇所で支持部材３３の強度が高められているので、運搬時や運転時の振動等による支持部材３３の変形がより確実に防止されるとともに、支持部材３３に取付け可能な部品の重量が増し、筐体３内に配置される制御部品のレイアウトの自由度が高められる。
【０２４１】
また、側板３ｆと天板３ｃとの隙間から筐体３内に水が侵入した場合でも、制御基板４１に水がかかるのをカバー部材４３が阻止するので、制御基板４１の腐食や回路の短絡が防止される。また、衣類やシーツ等の乾燥対象物から出たリントが制御基板４１に付着するのもカバー部材４３が阻止するので、リントの付着による制御基板４１の不具合も防止される。
【０２４２】
また、カバー部材４３が回路ケース３８に固定されているので、振動等によるカバー部材４３の離脱が防止される。
【０２４３】
また、カバー部材４３の開放部４３ｇから制御基板４１の熱が放出されるので、制御基板４１の過度な温度上昇が防止される。
【０２４４】
また、側板３ｆの突出部３ｊの下側空間Ｓ２にもカバー部材４３及び回路ケース３８が配置されるので、カバー部材４３及び制御基板４１を大きくすることが可能になり、制御基板４１の寸法及びレイアウトの自由度が高められる。
【０２４５】
また、カバー部材４３は、反底壁部３９ａ側に凹んだ形状をなし、カバー部材４３の内側に空間が形成されるので、制御基板４１の高さ方向の寸法及びレイアウトの自由度が高められるとともに、制御基板４１の発熱による温度上昇を緩和できる。
【０２４６】
なお、前記実施形態３の形態Ａでは、回路ケース３８を支持部材３３に取り付けた状態でカバー部材４３を回路ケース３８に取り付けるようにしたが、回路ケース３８にカバー部材４３を固定した状態で回路ケース３８を支持部材３３に取り付けるようにしてもよい。この場合には、カバー部材４３で制御基板４１を保護した状態で回路ケース３８と支持部材３３の取り付け作業を行えるので、取り付け作業時における工具等との接触や衝突による破損やネジ類等の異物の混入による制御基板４１の不具合を防止できる。
【０２４７】
（実施形態３の形態Ｂ）
図３３Ａ及び図３３Ｂは、実施形態３の形態Ｂに係る乾燥機１の制御回路ユニット３２を示す。実施形態３の形態Ｂでは、支持部材３３の傾斜面部３３ａにネジ挿通孔４９を形成し、このネジ挿通孔４９と前記カバー部材４３のネジ挿通孔４５ａとを対応させて両者にネジ４７を挿通して締結することで、カバー部材４３を支持部材３３に固定している。一方、回路ケース３８には外側締結部４０を設けていない。
【０２４８】
その他の構成は実施形態３の形態Ａと同じであるので、同一の構成箇所には同一の符号を付してその詳細な説明を省略する。
【０２４９】
実施形態３の形態Ｂでは、回路ケース３８にカバー部材４３を固定するための外側締結部４０を設けなくてもよいので、ケース本体３９を大きくして制御基板４１の収容スペースを大きくできる。
【０２５０】
（実施形態３の形態Ｃ）
図３４Ａ及び図３４Ｂは、実施形態３の形態Ｃに係る乾燥機１の制御回路ユニット３２を示す。実施形態３の形態Ｃでは、支持部材３３の傾斜面部３３ａにネジ挿通孔４９を形成し、このネジ挿通孔４９と前記カバー部材４３のネジ挿通孔４５ａと前記回路ケース３８のネジ挿通孔４０ａとに共通のネジ４７を挿通して締結することで、カバー部材４３を回路ケース３８及び支持部材３３の両方に固定している。なお、回路ケース３８の内側締結部４２、及びカバー部材４３の切欠部４８を設けていない。
【０２５１】
その他の構成は実施形態３の形態Ａと同じであるので、同一の構成箇所には同一の符号を付してその詳細な説明を省略する。
【０２５２】
実施形態３の形態Ｃでは、カバー部材４３を回路ケース３８及び支持部材３３のうちの一方だけに固定した場合に比べ、振動等によるカバー部材４３の離脱がより確実に防止される。
【０２５３】
（実施形態３の形態Ｄ）
図３５は、実施形態３の形態Ｄに係る乾燥機１の回路ケース３８を示す。実施形態３の形態Ｄでは、回路ケース３８が、制御基板４１に配線を介して接続されたリアクター等の図示しない制御部品を前記制御基板４１の後側で収容している。制御部品と制御基板４１との間は、底壁部３９ａから突出する２重の板状仕切部５３で前後に仕切られている。前記制御部品は、前記カバー部材４３によって反傾斜面部３３ａ側から覆われている。
【０２５４】
その他の構成は実施形態３の形態Ａと同じであるので、同一の構成箇所には同一の符号を付してその詳細な説明を省略する。
【０２５５】
実施形態３の形態Ｄでは、制御部品と制御基板４１を接続する配線を回路ケース３８の外側に引き出す必要がないので、配線作業が容易になる。また、側板３ｅ，３ｆと天板３ｃとの隙間から筐体３内に水が侵入した場合でも、制御部品に水がかかるのをカバー部材４３が阻止するので、水の侵入による制御部品の不具合が防止される。
【０２５６】
また、制御基板４１の防湿（固定もされる）に用いるウレタン樹脂の制御部品側への流入を板状仕切部５３が阻止するので、防湿が不要な制御部品の着脱が容易になると共に、ウレタン樹脂の量を削減することでコストも抑えられる。
【０２５７】
（実施形態３の形態Ｅ）
図３６は、実施形態３の形態Ｅに係る乾燥機１の制御回路ユニット３２周りを示す。本実施形態３の形態Ｅでは、支持部材３３に屈曲凹部３３ｅが形成されておらず、カバー部材４３全体が突出部３ｊの下側空間Ｓ２よりも右側に位置している。また、カバー部材４３に開放部４３ｇが形成されていない。
【０２５８】
その他の構成は実施形態３の形態Ａと同じであるので、同一の構成箇所には同一の符号を付してその詳細な説明を省略する。
【０２５９】
本実施形態３の形態Ｅでは、実施形態３の形態Ａ〜Ｄの如きカバー部材４３を外側にスライドさせる動作を行うことなく、カバー部材４３を上方から固定位置に配置できる。
【０２６０】
（実施形態３の形態Ｆ）
図３７は、実施形態３の形態Ｆに係る乾燥機１の支持部材３３を示す。実施形態３の形態Ｆでは、支持部材３３が第２縦面部３３ｉ及び取付面部３３ｊを備えておらず、筐体３の側板３ｆ及び補強部材３１だけに固定されている。
【０２６１】
その他の構成は実施形態３の形態Ａと同じであるので、同一の構成箇所には同一の符号を付してその詳細な説明を省略する。
【０２６２】
なお、前記実施形態３の形態Ａ〜Ｆでは、本発明を循環型の乾燥機１に適用したが、本発明は、排気型の乾燥機にも適用できる。送風装置１５は、送風ダクト１３内の空気をドラム９の給気口に向けて送風するものに限らず、凝縮器１７により加熱された空気がドラム９を経由するように送風するものであれば、例えば、ドラム９から空気を排出させるように送風するものであってもよい。
【符号の説明】
【０２６３】
＜実施形態１＞
Ｄ  衣類乾燥機（ヒートポンプ式乾燥機）
Ｃ  衣類（乾燥対象物）
１  筐体
２  ドラム部（収容部）
３  通風路
５  ヒートポンプ装置
５１  蒸発器
５２  圧縮機
５３  凝縮器
５３ａ  第１流路の上流端
５３ｂ  第２流路の下流端
５３ｄ  チューブ（直管部）
５３ｆ  接続管部
５４  絞り機構
５５  補助熱交換器
５５ａ  放熱用流路の上流端
５５ｂ  放熱用流路の下流端
５６  冷媒配管
５７  第１流路
５８  第２流路
５９  放熱用流路
６  冷却手段
６１  冷却用ファン装置
６２  排気用ファン装置
７  循環用ファン装置
８１  流路選択手段
８２  流路切換手段
９１  往路側延長管部
９２  復路側延長管部
９３  バイパス流路
１００  制御装置
ＳＷ１  冷媒温度センサ
＜実施形態２＞
Ｄ  衣類乾燥機
４  ドラム
７  送風ダクト
９ａ  蒸発器（熱交換器）
９ｂ  凝縮器（熱交換器）
１０  ファン装置
１０ｂ  ファンケーシング
１０ｆ  吹出口
３２  空気導入口
７１ｊ  シール部
７２ｂ  通風口
７３  エアガイド
７３ｂ  誘導部
７３ｃ  誘導部
＜実施形態３＞
１  乾燥機
３  筐体
３ａ  前板
３ｂ  後板
３ｃ  天板
３ｄ  底板
３ｅ，３ｆ  側板
３ｊ  突出部
４  補強板
５  投入口
９  ドラム
１５  送風装置
１７  凝縮器（加熱装置）
３１  補強部材
３２  制御回路ユニット
３３  支持部材
３３ａ  傾斜面部
３８  回路ケース
３９  ケース本体
３９ａ  底壁部
３９ｂ  周壁部
３９ｄ  凹溝
３９ｅ  係合部
４１  制御基板
４３  カバー部材
４３ｂ  前側側壁部
４３ｃ  後側側壁部
４３ｇ  開放部
４３ｈ  係合片部
４３ｉ  係合凹部
Ｓ１  空間
Ｓ２  下側空間
【図１Ａ】
2019198676.tif 000003
【図１Ｂ】
2019198676.tif 000004
【図２】
2019198676.tif 000005
【図３】
2019198676.tif 000006
【図４Ａ】
2019198676.tif 000007
【図４Ｂ】
2019198676.tif 000008
【図５】
2019198676.tif 000009
【図６】
2019198676.tif 000010
【図７】
2019198676.tif 000011
【図８】
2019198676.tif 000012
【図９Ａ】
2019198676.tif 000013
【図９Ｂ】
2019198676.tif 000014
【図１０】
2019198676.tif 000015
【図１１】
2019198676.tif 000016
【図１２】
2019198676.tif 000017
【図１３】
2019198676.tif 000018
【図１４】
2019198676.tif 000019
【図１５Ａ】
2019198676.tif 000020
【図１５Ｂ】
2019198676.tif 000021
【図１６】
2019198676.tif 000022
【図１７】
2019198676.tif 000023
【図１８】
2019198676.tif 000024
【図１９】
2019198676.tif 000025
【図２０】
2019198676.tif 000026
【図２１】
2019198676.tif 000027
【図２２】
2019198676.tif 000028
【図２３】
2019198676.tif 000029
【図２４】
2019198676.tif 000030
【図２５】
2019198676.tif 000031
【図２６】
2019198676.tif 000032
【図２７】
2019198676.tif 000033
【図２８】
2019198676.tif 000034
【図２９】
2019198676.tif 000035
【図３０】
2019198676.tif 000036
【図３１Ａ】
2019198676.tif 000037
【図３１Ｂ】
2019198676.tif 000038
【図３２】
2019198676.tif 000039
【図３３Ａ】
2019198676.tif 000040
【図３３Ｂ】
2019198676.tif 000041
【図３４Ａ】
2019198676.tif 000042
【図３４Ｂ】
2019198676.tif 000043
【図３５】
2019198676.tif 000044
【図３６】
2019198676.tif 000045
【図３７】
2019198676.tif 000046